(57)【要約】  ワイヤレス通信のための方法、装置、およびコンピュータプログラム製品が提供される。第１の装置は、プロセッサを含み、このプロセッサは、第２の装置が第１の装置と通信することが許可される動作チャネル幅（Ｏｐ  ＣＷ）においてプライマリチャネルのロケーションを設定し、Ｏｐ  ＣＷとは独立に、第１の装置と通信するために第２の装置がそれを介してプライマリチャネルのロケーションを変更することが許可されるチャネルを含む動作チャネルのセットを定義し、動作チャネルのセットを第２の装置に示し、プライマリチャネルのロケーションを識別するために動作チャネルのセットのうちの１つのチャネルに関連付けられたオフセットを示し、動作チャネルのセットのロケーションを識別するためにプライマリチャネルのロケーションに関連付けられたオフセットを示す、ように構成される。
2016541160.tif 000002
【特許請求の範囲】
【請求項１】
ワイヤレス通信のための第１の装置であって、
第２の装置が前記第１の装置と通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を行うように構成された処理システムを備える、第１の装置。
【請求項２】
動作チャネルの前記セットは、前記第１の装置と通信するために前記第２の装置が利用可能なチャネルの数に基づいて定義される、請求項１に記載の第１の装置。
【請求項３】
前記Ｏｐ  ＣＷに関連付けられた少なくとも１つのチャネルは、動作チャネルの前記セットに関連付けられる、請求項１に記載の第１の装置。
【請求項４】
前記Ｏｐ  ＣＷに関連付けられたどのチャネルも、動作チャネルの前記セットに関連付けられない、請求項１に記載の第１の装置。
【請求項５】
前記処理システムが、
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すようにさらに構成された、請求項１に記載の第１の装置。
【請求項６】
前記処理システムが、さらに、
動作チャネルの前記セットのロケーションを識別するために、前記Ｏｐ  ＣＷにおける前記少なくとも１つのプライマリチャネルの前記ロケーションに関連付けられたオフセットを示すように構成された、請求項１に記載の第１の装置。
【請求項７】
前記処理システムが、
チャネルアクティビティビットマップ（ＣＡＢ）を介して、動作チャネルの前記セットのうちの前記少なくとも１つのチャネルの各々のロケーションを示すことであって、前記ＣＡＢは動作チャネルの前記セットのうちの１つのチャネルを各ビットが識別する少なくとも１つのビットを備える、示すこと、
によって、動作チャネルの前記セットを前記第２の装置に示すように構成された、請求項１に記載の第１の装置。
【請求項８】
前記ＣＡＢが１６ビットを備え、各ビットが、動作チャネルの前記セットのうちの１−ＭＨｚチャネルを識別する、請求項７に記載の第１の装置。
【請求項９】
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、請求項７に記載の第１の装置。
【請求項１０】
前記処理システムが、
通信のためにイネーブルされたチャネルの数を指定するビットマップを示すことによって、動作チャネルの前記セットを前記第２の装置に示すように構成された、請求項１に記載の第１の装置。
【請求項１１】
前記処理システムが、さらに、
前記Ｏｐ  ＣＷにおける前記少なくとも１つのプライマリチャネルの前記ロケーションを識別するために、前記ビットマップによって指定された少なくとも１つのチャネルに関連付けられたオフセットを示すように構成された、請求項１０に記載の第１の装置。
【請求項１２】
前記処理システムが、
前記ビットマップによって指定された各チャネルの帯域幅を示すことによって、動作チャネルの前記セットを前記第２の装置に示すように構成された、請求項１０に記載の第１の装置。
【請求項１３】
前記処理システムが、
データ単位を送信するための前記第２の装置についての最大帯域幅を示すことによって、動作チャネルの前記セットを前記第２の装置に示すように構成された、請求項１に記載の第１の装置。
【請求項１４】
第１の装置におけるワイヤレス通信の方法であって、
第２の装置が前記第１の装置と通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を備える、方法。
【請求項１５】
動作チャネルの前記セットは、前記第１の装置と通信するために前記第２の装置が利用可能なチャネルの数に基づいて定義される、請求項１４に記載の方法。
【請求項１６】
前記Ｏｐ  ＣＷに関連付けられた少なくとも１つのチャネルが、動作チャネルの前記セットに関連付けられた、請求項１４に記載の方法。
【請求項１７】
前記Ｏｐ  ＣＷに関連付けられたどのチャネルも、動作チャネルの前記セットに関連付けられない、請求項１４に記載の方法。
【請求項１８】
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すことをさらに備える、請求項１４に記載の方法。
【請求項１９】
動作チャネルの前記セットのロケーションを識別するために、前記Ｏｐ  ＣＷにおける前記少なくとも１つのプライマリチャネルの前記ロケーションに関連付けられたオフセットを示すことをさらに備える、請求項１４に記載の方法。
【請求項２０】
動作チャネルの前記セットを前記第２の装置に前記示すことが、
チャネルアクティビティビットマップ（ＣＡＢ）を介して、動作チャネルの前記セットのうちの前記少なくとも１つのチャネルの各々のロケーションを示すことであって、前記ＣＡＢが、動作チャネルの前記セットのうちの１つのチャネルを各ビットが識別する少なくとも１つのビットを備える、示すこと、
を備える、請求項１４に記載の方法。
【請求項２１】
前記ＣＡＢが１６ビットを備え、各ビットが、動作チャネルの前記セットのうちの１−ＭＨｚチャネルを識別する、請求項２０に記載の方法。
【請求項２２】
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、請求項２０に記載の方法。
【請求項２３】
動作チャネルの前記セットを前記第２の装置に前記示すことが、
通信のためにイネーブルされたチャネルの数を指定するビットマップを示すことを備える、請求項１４に記載の方法。
【請求項２４】
前記Ｏｐ  ＣＷにおける前記少なくとも１つのプライマリチャネルの前記ロケーションを識別するために、前記ビットマップによって指定された少なくとも１つのチャネルに関連付けられたオフセットを示すことをさらに備える、請求項２３に記載の方法。
【請求項２５】
動作チャネルの前記セットを前記第２の装置に前記示すことが、
前記ビットマップによって指定された各チャネルの帯域幅を示すことを備える、請求項２３に記載の方法。
【請求項２６】
動作チャネルの前記セットを前記第２の装置に前記示すことが、
データ単位を送信するための前記第２の装置についての最大帯域幅を示すことを備える、請求項１４に記載の方法。
【請求項２７】
ワイヤレス通信のための第１の装置であって、
第２の装置が前記第１の装置と通信することが許可される動作チャネル幅（Ｏｐ  ＣＷ）において少なくとも１つのプライマリチャネルのロケーションを設定するための手段と、
前記Ｏｐ  ＣＷとは独立に動作チャネルのセットを定義するための手段と、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すための手段と
を備える、第１の装置。
【請求項２８】
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すための手段をさらに備える、請求項２７に記載の第１の装置。
【請求項２９】
動作チャネルの前記セットのロケーションを識別するために、前記Ｏｐ  ＣＷにおける前記少なくとも１つのプライマリチャネルの前記ロケーションに関連付けられたオフセットを示すための手段をさらに備える、請求項２７に記載の第１の装置。
【請求項３０】
ワイヤレス通信のためのアクセスポイントであって、
少なくとも１つのアンテナと、
処理システムであって、
装置が前記アクセスポイントと通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記アクセスポイントと通信するために前記装置がそれを介して前記少なくとも１つのプライマリチャネルの前記ロケーションを変更することが許可される少なくとも１つのチャネルを備える、
動作チャネルの前記セットを前記少なくとも１つのアンテナを介して前記装置に示すことと
を行うように構成された処理システムと
を備える、アクセスポイント。
【発明の詳細な説明】
【技術分野】
【０００１】
関連出願の相互参照
[0001]本出願は、その開示の全体が参照により本明細書に明確に組み込まれる、２０１３年１０月２８日に出願された「ENHANCEMENTS TO SUBCHANNEL SELECTIVE TRANSMISSION PROCEDURE」と題する、米国仮出願第６１／８９６，６３４号と、２０１３年１１月６日に出願された「ENHANCEMENTS TO SUBCHANNEL SELECTIVE TRANSMISSION PROCEDURE」と題する、米国仮出願第６１／９００，９９５号と、２０１４年１０月２７日に出願された「ENHANCEMENTS TO SUBCHANNEL SELECTIVE TRANSMISSION PROCEDURE」と題する、米国特許出願第１４／５２５，０８５号との利益を主張する。
【０００２】
[0002]本開示は、一般に、通信システムに関し、より詳細には、ワイヤレス通信システムにおけるサブチャネル選択送信（ＳＳＴ）プロシージャを改善することに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、同期光ネットワーキング（ＳＯＮＥＴ）、イーサネット（登録商標）など）に応じて異なる。
【０００４】
[0004]ワイヤレスネットワークは、ネットワーク要素がモバイルであり、そのため動的接続性の必要があるとき、またはネットワークアーキテクチャが、固定ではなくアドホックなトポロジーで形成される場合に、しばしば好適である。ワイヤレスネットワークは、無線、マイクロ波、赤外線、光などの周波数帯域内の電磁波を使用して、非誘導伝搬モードで無形物理媒体を採用する。ワイヤレスネットワークは、有利なことに、固定有線ネットワークと比較して、ユーザモビリティと迅速なフィールド展開とを容易にする。
【０００５】
[0005]いくつかのワイヤレスネットワークでは、アクセスポイント（ＡＰ）に関連付けられたデバイスは、そのＡＰによって選択されたプライマリチャネル上で信号を送信および受信することが許可される。サブチャネル選択送信（ＳＳＴ）プロシージャに従うと、デバイスは、許容される動作チャネル幅の範囲内でプライマリチャネルのロケーションを動的に変更することが許可される。ＳＳＴプロシージャのための改善されたシステム、方法、およびデバイスが望まれる。
【発明の概要】
【０００６】
[0006]本発明のシステム、方法、およびデバイスは、各々、いくつかの態様を有しており、それらのうちの単一の態様が単独で本発明の望ましい属性を担うわけではない。次に、特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるデバイスのための改善された狭帯域チャネル選択を含む利点をどのように提供するかが理解されよう。
【０００７】
[0007]本開示の一態様は、プロセッサを含むワイヤレス通信のための第１の装置を提供する。プロセッサは、第２の装置が第１の装置と通信することが許可される動作チャネル幅（Ｏｐ  ＣＷ：operating channel width）において少なくとも１つのプライマリチャネルのロケーションを設定するように構成される。プロセッサは、Ｏｐ  ＣＷとは独立に動作チャネルのセットを定義し得、ここにおいて、動作チャネルのセットは、第１の装置と通信するために第２の装置がそれを介して少なくとも１つのプライマリチャネルのロケーションを変更することが許可される少なくとも１つのチャネルを含む。プロセッサは、さらに、動作チャネルのセットを第２の装置に示し、Ｏｐ  ＣＷにおける少なくとも１つのプライマリチャネルのロケーションを識別するために動作チャネルのセットのうちの少なくとも１つのチャネルに関連付けられたオフセットを示し、動作チャネルのセットのロケーションを識別するためにＯｐ  ＣＷにおける少なくとも１つのプライマリチャネルのロケーションに関連付けられたオフセットを示し得る。
【０００８】
[0008]本開示の別の態様は、第２の装置が第１の装置と通信することが許可される動作チャネル幅（Ｏｐ  ＣＷ）において少なくとも１つのプライマリチャネルのロケーションを設定することと、Ｏｐ  ＣＷとは独立に動作チャネルのセットを定義することであって、動作チャネルのセットは、第１の装置と通信するために第２の装置がそれを介して少なくとも１つのプライマリチャネルのロケーションを変更することが許可される少なくとも１つのチャネルを備える、定義することと、動作チャネルのセットを第２の装置に示すことと、Ｏｐ  ＣＷにおける少なくとも１つのプライマリチャネルのロケーションを識別するために動作チャネルのセットのうちの少なくとも１つのチャネルに関連付けられたオフセットを示すことと、動作チャネルのセットのロケーションを識別するためにＯｐ  ＣＷにおける少なくとも１つのプライマリチャネルのロケーションに関連付けられたオフセットを示すこととを含む、第１の装置におけるワイヤレス通信の方法を提供する。
【０００９】
[0009]本開示の一態様は、第２の装置が第１の装置と通信することが許可される動作チャネル幅（Ｏｐ  ＣＷ）において少なくとも１つのプライマリチャネルのロケーションを設定するための手段と、Ｏｐ  ＣＷとは独立に動作チャネルのセットを定義するための手段であって、動作チャネルのセットは、第１の装置と通信するために第２の装置がそれを介して少なくとも１つのプライマリチャネルのロケーションを変更することが許可される少なくとも１つのチャネルを備える、定義するための手段と、動作チャネルのセットを第２の装置に示すための手段と、Ｏｐ  ＣＷにおける少なくとも１つのプライマリチャネルのロケーションを識別するために動作チャネルのセットのうちの少なくとも１つのチャネルに関連付けられたオフセットを示すための手段と、動作チャネルのセットのロケーションを識別するためにＯｐ  ＣＷにおける少なくとも１つのプライマリチャネルのロケーションに関連付けられたオフセットを示すための手段とを含む、ワイヤレス通信のための第１の装置を提供する。
【００１０】
[0010]本開示の別の態様は、第１の装置におけるワイヤレス通信のためのコンピュータプログラム製品を提供し、該コンピュータプログラム製品は、第２の装置が第１の装置と通信することが許可される動作チャネル幅（Ｏｐ  ＣＷ）において少なくとも１つのプライマリチャネルのロケーションを設定することと、Ｏｐ  ＣＷとは独立に動作チャネルのセットを定義することであって、動作チャネルのセットは、第１の装置と通信するために第２の装置がそれを介して少なくとも１つのプライマリチャネルのロケーションを変更することが許可される少なくとも１つのチャネルを備える、定義することと、動作チャネルのセットを第２の装置に示すことと、Ｏｐ  ＣＷにおける少なくとも１つのプライマリチャネルのロケーションを識別するために動作チャネルのセットのうちの少なくとも１つのチャネルに関連付けられたオフセットを示すことと、動作チャネルのセットのロケーションを識別するためにＯｐ  ＣＷにおける少なくとも１つのプライマリチャネルのロケーションに関連付けられたオフセットを示すこととを行うように実行可能な命令を有するコンピュータ可読媒体を備える。
【００１１】
[0011]本開示のさらなる態様は、少なくとも１つのアンテナと、処理システムとを含む、ワイヤレス通信のためのアクセスポイントを提供する。処理システムは、装置がアクセスポイントと通信することが許可される動作チャネル幅（Ｏｐ  ＣＷ）において少なくとも１つのプライマリチャネルのロケーションを設定することと、Ｏｐ  ＣＷとは独立に動作チャネルのセットを定義することであって、動作チャネルのセットが、アクセスポイントと通信するために装置がそれを介して少なくとも１つのプライマリチャネルのロケーションを変更することが許可される少なくとも１つのチャネルを備える、定義することと、動作チャネルのセットを、少なくとも１つのアンテナを介して装置に示すこととを行うように構成される。
【図面の簡単な説明】
【００１２】
【図１】[0012]本開示の態様が採用され得る例示的なワイヤレス通信システムを示す図である。
【図２】[0013]図１のワイヤレス通信システム内で採用され得る例示的なワイヤレスデバイスの機能ブロック図である。
【図３Ａ】[0014]例示的なワイヤレス通信タイムラインを示す図である。
【図３Ｂ】[0015]例示的なワイヤレス通信タイムラインを示す図である。
【図４】[0016]例示的なワイヤレス通信タイムラインを示す図である。
【図５】[0017]物理チャネルから仮想チャネルへのマッピングの例を示す図である。
【図６】[0018]１６ＭＨｚのＳＳＴ動作帯域幅の例を示す図である。
【図７】[0019]ワイヤレス通信の例示的な方法のフローチャートである。
【図８】[0020]例示的なワイヤレス通信デバイスの機能ブロック図である。
【発明を実施するための形態】
【００１３】
[0021]添付の図面を参照して、新規のシステム、装置、および方法の様々な態様について、以下でより詳細に説明する。しかしながら、本開示は、多くの異なる形態で具現化され得るものであり、本開示全体にわたって提示される任意の特定の構造または機能に限定されるものと解釈されるべきでない。むしろ、これらの態様は、本開示が周到で完全になり、本開示の範囲を当業者に十分に伝えるように提供される。本明細書の教示に基づいて、本開示の範囲が、本発明の任意の他の態様とは無関係に実装されるにせよ、本開示の任意の他の態様と組み合わせて実装されるにせよ、本明細書で開示される新規のシステム、装置、および方法のいかなる態様もカバーするものであることを、当業者は諒解されたい。たとえば、任意の数の本明細書に記載の態様を使用して、装置が実装され、または方法が実践され得る。加えて、本発明の範囲は、本明細書に記載の本発明の様々な態様に加えて、またはそれらの態様以外に、他の構造、機能、または構造および機能を使用して実践されるそのような装置または方法をカバーするものとする。本明細書で開示される任意の態様が請求項の１つまたは複数の要素によって具現化され得ることを理解されたい。
【００１４】
[0022]本明細書では特定の態様が記載されるが、これらの態様の多くの変形形態および置換は本開示の範囲内に入る。好ましい態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかが、例として図および好ましい態様の以下の説明で示される。発明を実施するための形態および図面は、限定的なものではなく本開示を説明するものにすぎず、本開示の範囲は添付の特許請求の範囲およびその均等物によって定義される。
【００１５】
[0023]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを採用して、近くのデバイスを一緒に相互接続するために使用され得る。本明細書に記載される様々な態様は、ワイヤレスプロトコルなどの任意の通信規格に適用することができる。
【００１６】
[0024]いくつかの態様では、サブギガヘルツ帯域内のワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、８０２．１１ａｈプロトコルに従って送信され得る。さらに、ワイヤレス信号は、８０２．１１ａｈの狭帯域、たとえば１ＭＨｚまたは２ＭＨｚチャネルにおいて送信され得る。８０２．１１ａｈプロトコルの実装は、センサ、メータリング、およびスマートグリッドネットワークに使用され得る。有利なことに、８０２．１１ａｈプロトコルを実装するいくつかのデバイスの態様は、他のワイヤレスプロトコルを実装するデバイスよりも少ない電力を消費することがあり、および／または比較的長い距離、たとえば約１キロメートル以上にわたってワイヤレス信号を送信するために使用され得る。
【００１７】
[0025]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）およびクライアント（ステーションまたは「ＳＴＡ」とも呼ばれる）が存在し得る。概して、ＡＰはＷＬＡＮのためのハブまたは基地局の役割を果たすことができ、ＳＴＡはＷＬＡＮのユーザの役割を果たす。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。
【００１８】
[0026]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００１９】
[0027]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続能力を有するハンドヘルドデバイス、またはワイヤレスモデムに接続された何らかの他の適切な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスまたはシステム、全地球測位システムデバイス、あるいはワイヤレス媒体を介して通信するように構成された任意の他の適切なデバイスに組み込まれ得る。
【００２０】
[0028]上記で説明されたように、本明細書に記載されるいくつかのデバイスは、たとえば、８０２．１１ａｈ規格を実装することができる。そのようなデバイスは、ＳＴＡとして使用されるか、ＡＰとして使用されるか、他のデバイスとして使用されるかにかかわらず、スマートメータリングのために、またはスマートグリッドネットワークにおいて使用され得る。そのようなデバイスは、センサアプリケーションを提供できるか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットとともに使用する）拡張範囲インターネット接続性を可能にするため、またはマシンツーマシン通信を実装するために、監視（surveillance）に使用され得る。
【００２１】
[0029]ステーションおよびＡＰなどのワイヤレスノードは、８０２．１１ａｈ規格に準拠するネットワークなどの、キャリア検知多重アクセス（ＣＳＭＡ）タイプのネットワークにおいて対話することができる。ＣＳＭＡは、確率的媒体アクセス制御（ＭＡＣ）プロトコルである。「キャリア検知」は、媒体上で送信しようと試みるノードが、それ自体の送信を送ろうと試みる前に、搬送波を検出するためにその受信機からのフィードバックを使用できることを表す。「多重アクセス」は、複数のノードが共有媒体上で送信および受信できることを表す。したがって、ＣＳＭＡタイプのネットワークでは、送信ノードは媒体を検知し、媒体がビジーである（すなわち、別のノードが媒体上で送信している）場合、送信ノードはその送信を後の時間に延期する。しかしながら、媒体がフリーとして検知された場合、送信ノードは媒体上でそのデータを送信することができる。
【００２２】
[0030]ノードが媒体上で送信しようと試みる前に媒体の状態を決定するために、クリアチャネルアセスメント（ＣＣＡ）が使用される。ＣＣＡプロシージャは、ノードの受信機がオンにされ、ノードがパケットなどのデータユニットを現在送信していない間に実行される。ノードは、たとえば、パケットのＰＨＹプリアンブルを検出することによってパケットの開始を検出することによって、媒体がクリアであるかどうかを検知することができ、これはプリアンブル検出と呼ばれることがある。さらに、ノードは、たとえば、信号（ＳＩＧ）フィールド内の確認応答（ＡＣＫ）インジケーションからの延期時間または遅延時間を推定することができる。プリアンブル検出方法は、比較的弱い信号を検出することができる。したがって、この方法では検出しきい値は低い。代替の方法は、電波上（on the air）で何らかのエネルギーを検出することであり、これはエネルギー検出と呼ばれることがある。エネルギー検出は、一度に１つまたは複数のチャネルを検知するために使用され得る。エネルギー検出方法は、パケットの開始を検出することよりも比較的困難であり、比較的強い信号しか検出しないことがある。したがって、プリアンブル検出に比べて、この方法では検出しきい値はより高い。概して、媒体上での別の送信の検出は、送信の受信電力の関数であり、受信電力は、送信電力から経路損失を減じたものである。
【００２３】
[0031]ＣＳＭＡは、頻繁には使用されない媒体について特に有効であるが、媒体がそれに同時にアクセスしようと試みる多くのデバイスで混雑した場合には性能劣化が起こることがある。複数の送信ノードが一度に媒体を使用しようと試みるとき、同時送信間の衝突が生じることがあり、送信されたデータが失われ、または破損することがある。ワイヤレスデータ通信では、概して、媒体上で送信している間に媒体をリッスンすることが不可能であるので、衝突検出は可能ではない。さらに、１つのノードによる送信は、概して、送信ノードのレンジ内にある媒体を使用する他のノードによってのみ受信される。これは隠れノード問題として知られ、それにより、たとえば、受信ノードに送信することを望む、受信ノードのレンジ内にある第１のノードは、受信ノードへと現在送信している第２のノードのレンジ内になく、したがって、第１のノードは、第２のノードが受信ノードへと送信しており、したがって媒体を占有していることを知ることができない。そのような状況では、第１のノードは、媒体がフリーであることを検知し、送信を開始することができ、それにより、次いで受信ノードにおいて衝突とデータの紛失とを引き起こすことがある。したがって、衝突領域内のすべての送信ノード間で媒体へのアクセスをいくらか均等に分割しようと試みることによってＣＳＭＡのパフォーマンスを改善するために、衝突回避方式が使用される。注目すべきは、衝突回避は、媒体の性質、この場合は無線周波数スペクトル、に起因する衝突検出とは異なることである。
【００２４】
[0032]衝突回避（ＣＡ）を利用するＣＳＭＡネットワークでは、送信することを望むノードは、はじめに媒体を検知し、媒体がビジーである場合、ある時間期間の間延期または遅延する（すなわち送信しない）。延期（deferral）の期間の後に、ランダム化されたバックオフ期間（すなわち、送信することを望むノードが媒体にアクセスしようと試みない追加の時間期間）が続く。バックオフ期間は、同時に媒体にアクセスしようと試みる異なるノード間の競合を解消するために使用される。バックオフ期間は、コンテンションウィンドウと呼ばれることもある。バックオフでは、媒体にアクセスしようと試みる各ノードが、ある範囲内で乱数を選定し、媒体にアクセスしようと試みる前に選定された数のタイムスロットの間待機すること、および、異なるノードが媒体に以前にアクセスしたかどうかをチェックすることを必要とする。スロット時間は、前のスロットの始めに別のノードが媒体にアクセスしたかどうかをあるノードが常に決定することが可能であるように定義される。特に、８０２．１１規格は指数バックオフアルゴリズムを使用し、そこでは、ノードは、スロットを選定し別のノードと衝突するたびに、範囲の最大数を指数関数的に増加させることになる。一方、送信することを望むノードが、（８０２．１１規格では分散フレーム間隔（ＤＩＦＳ：Distributed Inter Frame Space）、または他のケースではポイント協調機能フレーム間隔（ＰＩＦＳ：Point Coordination Function Inter Frame Space）と呼ばれる）指定された時間の間に媒体をフリーとして検知した場合、ノードは、媒体上で送信することを許可される。送信した後に、受信ノードは、受信データの巡回冗長検査（ＣＲＣ）を実行し、送信ノードに確認応答を返送することができる。送信ノードによる確認応答の受信は、衝突が生じていないことを送信ノードに示すことになる。同様に、送信ノードで確認応答の受信がないことは、衝突が生じたことと、送信ノードがデータを再送すべきであることとを示す。
【００２５】
[0033]加えて、ワイヤレスネットワークは、送信することを望むノードがそれにより最初に送信要求（ＲＴＳ）と呼ばれる短い制御パケットを受信ノードに送信する、仮想キャリア検知を実施することができる。ＲＴＳは、応答の確認応答を含む送信のソースと、宛先と、持続時間とを含むことができる。媒体がフリーである場合、受信ノードは、ＲＴＳと同じ情報を含み得る、送信可（ＣＴＳ）メッセージで応答する。ＲＴＳまたはＣＴＳのいずれかのレンジ内の任意のノードは、その仮想キャリア検知インジケータ（ネットワーク割振りベクトル（ＮＡＶ）とも呼ばれる）を所与の持続時間の間セットし、その期間の間媒体上で送信する試みを延期する。したがって、仮想キャリア検知を実施すると、隠れ送信ノードによる受信ノードでの衝突の確率が低減される。ＲＴＳおよびＣＴＳのメッセージフレームは、送信ノードによって送信されようとするフルメッセージフレームよりも比較的短いので、ＲＴＳおよびＣＴＳの使用は、また、オーバーヘッドを低減し得る。すなわち、送信ノードがＲＴＳを送り、ＣＴＳを受信せず、それにより受信側がビジーであることを示し得るので、フルデータフレームを送り、確認応答を受信しないことと比較して、使用される媒体時間が短い。
【００２６】
[0034]図１は、本開示の態様が採用され得る例示的なワイヤレス通信システム１００を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含み得る。
【００２７】
[0035]様々なプロセスおよび方法が、ＡＰ１０４とＳＴＡ１０６との間の、ワイヤレス通信システム１００における送信に使用され得る。たとえば、信号は、ＯＦＤＭ／ＯＦＤＭＡ技法に従って、ＡＰ１０４とＳＴＡ１０６との間で送受信され得る。この場合、ワイヤレス通信システム１００は、ＯＦＤＭ／ＯＦＤＭＡシステムと呼ばれ得る。代替として、信号は、ＣＤＭＡ技法に従って、ＡＰ１０４とＳＴＡ１０６との間で送受信され得る。この場合、ワイヤレス通信システム１００は、ＣＤＭＡシステムと呼ばれ得る。
【００２８】
[0036]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替として、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストのトラフィックインジケーションを含み得る。
【００２９】
[0037]いくつかの態様では、ＡＰ１０４は、著しいアナログデジタル変換（ＡＤＣ）クリッピングノイズを発生させずに、同時に２つ以上のチャネル上で該ＡＰ１０４がＵＬ通信を受信できるように、隣接チャネル干渉（ＡＣＩ）を抑制することができる。ＡＰ１０４は、たとえば、チャネルごとに別々の有限インパルス応答（ＦＩＲ）フィルタを有することによって、または増大されたビット幅をもつより長いＡＤＣバックオフ期間を有することによって、ＡＣＩの抑制を改善することができる。
【００３０】
[0038]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書に記載されたＡＰ１０４の機能は、ＳＴＡ１０６のうちの１つまたは複数によって代替的に実行され得る。
【００３１】
[0039]ＡＰ１０４は、ダウンリンク１０８などの通信リンクを介して、システム１００の他のノードＳＴＡ１０６にビーコン信号（または単に「ビーコン」）を、１つまたは複数のチャネル（たとえば、各チャネルが周波数帯域幅を含む複数の狭帯域チャネル）上で送信することができ、ビーコン信号は、他のノードＳＴＡ１０６がそれらのタイミングをＡＰ１０４と同期させるのを助けることができ、または他の情報もしくは機能を提供することができる。そのようなビーコンは周期的に送信され得る。一態様では、連続送信間の期間はスーパーフレームと呼ばれることがある。ビーコンの送信は、いくつかのグループまたはインターバルに分割され得る。一態様では、ビーコンは、限定はしないが、共通クロックを設定するタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含むことがあり、それらのうちのいくつかが以下でさらに詳細に記載される。したがって、ビーコンは、いくつかのデバイスの間で共通の（たとえば共有された）情報と、所与のデバイスに固有の情報の両方を含み得る。
【００３２】
[0040]いくつかの態様では、ＳＴＡ１０６は、ＡＰ１０４に通信を送り、および／またはＡＰ１０４から通信を受け取るために、ＡＰ１０４にアソシエートすることが必要であり得る。一態様では、アソシエートするための情報は、ＡＰ１０４によってブロードキャストされるビーコンに含まれる。そのようなビーコンを受信するために、ＳＴＡ１０６は、たとえば、カバレージ領域にわたって広カバレージ探索を実行することができる。探索はまた、たとえば、灯台方式でカバレージ領域をスイープすることによってＳＴＡ１０６によって実行され得る。アソシエートするための情報を受信した後、ＳＴＡ１０６は、アソシエーションプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００３３】
[0041]図２は、図１のワイヤレス通信システム１００内で採用され得るワイヤレスデバイス２０２の例示的な機能ブロック図を示す。ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備えることができる。
【００３４】
[0042]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に提供することができる。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実施するように実行可能であり得る。
【００３５】
[0043]プロセッサ２０４は、１つまたは複数のプロセッサとともに実装された処理システムを備えることがあり、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェア構成要素、専用ハードウェア有限ステートマシン、または情報の計算もしくは他の操作を実行することができる任意の他の適切なエンティティの任意の組合せを用いて実装され得る。
【００３６】
[0044]処理システムはまた、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、１つまたは複数のプロセッサによって実行されたとき、本明細書に記載される様々な機能を処理システムに実行させる。
【００３７】
[0045]ワイヤレスデバイス２０２はまた、ワイヤレスデバイス２０２とリモートロケーションとの間のデータの送信と受信とを可能にするために、送信機２１０および／または受信機２１２を含み得るハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００３８】
[0046]送信機２１０は、たとえば、別のデバイスでデバイスのためにバッファリングされた保留中のトラフィックを回復するように構成されたポーリングメッセージなどのメッセージをワイヤレスに送信するように構成され得る。たとえば、送信機２１０は、上記で説明された、プロセッサ２０４によって生成されたポーリングメッセージを送信するように構成され得る。ワイヤレスデバイス２０２がＡＰ１０４として実装または使用されるときには、プロセッサ２０４は、ポーリングメッセージを処理するように構成され得る。ワイヤレスデバイス２０２がＳＴＡ１０６として実装または使用されるときには、プロセッサ２０４はまた、ポーリングメッセージを生成するように構成され得る。受信機２１２は、たとえば、ポーリングメッセージをワイヤレスに受信するように構成され得る。
【００３９】
[0047]さらに、ワイヤレスデバイス２０２がＡＰ１０４として実装されるまたは用いられるときには、プロセッサ２０４は、その上でＳＴＡ１０６がＡＰ１０４と通信することが許可される動作チャネル幅（）（たとえば、基本サービスセット（ＢＳＳ）のＯｐ  ＣＷ）においてプライマリチャネルのロケーションを設定し、Ｏｐ  ＣＷとは独立であり得る動作チャネルのセット（たとえば、サブチャネル選択送信（ＳＳＴ）のＯｐ  ＣＷ）を定義するように構成され得、ここで、動作チャネルのセットは、ＡＰ１０４と通信するためにＳＴＡ１０６がそれを介してプライマリチャネルのロケーションを変更することが許可されるチャネルを含む。プロセッサ２０４および／または送信機２１０は、また、動作チャネルのセットをＳＴＡ１０６に示し、Ｏｐ  ＣＷにおけるプライマリチャネルのロケーションを識別するために動作チャネルのセットのうちの１つのチャネルに関連付けられたオフセットを示し、動作チャネルのセットのロケーションを識別するためにＯｐ  ＣＷにおけるプライマリチャネルのロケーションに関連付けられたオフセットを示すようにも構成され得る。
【００４０】
[0048]ワイヤレスデバイス２０２はまた、送受信機２１４によって受信された信号のレベルを検出し定量化するために使用され得る信号検出器２１８を含み得る。信号検出器２１８は、総エネルギー、シンボルごとのサブキャリア当たりのエネルギー、電力スペクトル密度および他の信号などの信号を検出することができる。ワイヤレスデバイス２０２はまた、信号を処理する際に使用するためのデジタル信号プロセッサ（ＤＳＰ）２２０を含み得る。ＤＳＰ２２０は、送信用のパケットを生成するように構成され得る。いくつかの態様では、パケットは物理層データユニット（ＰＰＤＵ）を備え得る。
【００４１】
[0049]いくつかの態様では、ワイヤレスデバイス２０２は、ユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００４２】
[0050]ワイヤレスデバイス２０２の様々な構成要素は、バスシステム２２６によって互いに結合され得る。バスシステム２２６は、たとえば、データバスを含むことがあり、ならびに、データバスに加えて、電力バス、制御信号バス、およびステータス信号バスを含み得る。ワイヤレスデバイス２０２の構成要素は、何らかの他のメカニズムを使用して、互いに結合されるか、または互いに対する入力を受け付けるか、もしくは提供することができる。
【００４３】
[0051]いくつかの別々の構成要素が図２に示されているが、それらの構成要素のうちの１つまたは複数は、組み合わされるか、または共通に実装されることがある。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別々の要素を使用して実装され得る。
【００４４】
[0052]ワイヤレスデバイス２０２は、ＡＰ１０４またはＳＴＡ１０６を備えることがあり、たとえば、ポーリングメッセージ、ビーコン信号、もしくはページングメッセージを含む様々な通信を送信および／または受信するために使用され得る。すなわち、ＡＰ１０４またはＳＴＡ１０６のいずれも、ポーリングメッセージ、ビーコン信号、またはページングメッセージの送信機または受信機として働くことができる。いくつかの態様は、信号検出器２１８が、送信機または受信機の存在を検出するために、メモリ２０６およびプロセッサ２０４上で動作しているソフトウェアによって使用されることを企図する。ＡＰ１０４とＳＴＡ１０６とは、狭帯域通信のための１つまたは複数のチャネル上で、メッセージを受信または送信し得る。たとえば、ＡＰ１０４とＳＴＡ１０６とは、８個または１６個のチャネル上でのワイヤレス通信をサポートし得、ここで、各チャネルは、１ＭＨｚまたは２ＭＨｚの周波数帯域である。
【００４５】
[0053]ＳＴＡ１０６（図１）は、複数の動作モードを有することができる。たとえば、ＳＴＡ１０６は、アクティブモードと呼ばれる第１の動作モードを有することができる。アクティブモードでは、ＳＴＡ１０６は、「アウェイク」状態であり得、ＡＰ１０４とデータをアクティブに送信／受信することができる。さらに、ＳＴＡ１０６は、省電力モードと呼ばれる第２の動作モードを有することができる。省電力モードでは、ＳＴＡ１０６は、「アウェイク」状態、またはＳＴＡ１０６がＡＰ１０４とデータをアクティブに送信／受信しない「ドーズ」もしくは「スリープ」状態であり得る。たとえば、ＳＴＡ１０６の受信機２１２、ならびに場合によってはＤＳＰ２２０および信号検出器２１８は、ドーズ状態において低減された電力消費を使用して動作することができる。さらに、省電力モードでは、ＳＴＡ１０６は、時々アウェイク状態に入って、ＳＴＡ１０６がＡＰ１０４とデータを送受信することができるように、ある特定の時間に「ウェイクアップする」（たとえば、アウェイク状態に入る）必要があるか否かをＳＴＡ１０６に示す、ＡＰ１０４からのメッセージ（たとえば、別のデバイスにバッファリングされた保留中のトラフィックをワイヤレスデバイスが有するか否かをワイヤレスデバイスに示すように構成されたページングメッセージ）をリッスンすることができる。
【００４６】
[0054]したがって、いくつかのワイヤレス通信システム１００（図１）では、ＡＰ１０４は、ＡＰ１０４と同じネットワーク内の省電力モードにある複数のＳＴＡ１０６に、ＳＴＡ１０６がアウェイク状態またはドーズ状態にある必要があるか否かを示すページングメッセージを送信することができる。たとえば、自身がページングされていないとＳＴＡ１０６が決定した場合、ＳＴＡ１０６はドーズ状態に留まることができる。代替として、自身がページングされ得るとＳＴＡ１０６が決定した場合、ＳＴＡ１０６は、一定期間アウェイク状態に入ってページを受信し、さらにページに基づいてアウェイク状態にいつ入るべきかを決定することができる。さらに、ＳＴＡ１０６は、ページングを受信した後、一定期間アウェイク状態のままでいることができる。別の例では、ＳＴＡ１０６は、ページングされているときも、ページングされていないときも、本開示と矛盾しない他の方法で機能するように構成され得る。たとえば、ＡＰ１０４がＳＴＡ１０６に送信すべきデータを有しているので、ページは、ＳＴＡ１０６が一定期間アウェイク状態に入るべきであることを示すことができる。ＳＴＡ１０６は、一定期間アウェイク状態にいるときに、ポーリングメッセージをＡＰ１０４に送ることによって、データについてＡＰ１０４をポーリングすることができる。ポーリングメッセージに応答して、ＡＰ１０４はＳＴＡ１０６にデータを送信することができる。いくつかの態様では、ページングメッセージは、トラフィック識別マップ（ＴＩＭ）などのビットマップ（図示せず）を備え得る。いくつかのそのような態様では、ビットマップはいくつかのビットを備え得る。これらのページングメッセージは、ビーコンまたはＴＩＭのフレームでＡＰ１０４からＳＴＡ１０６に送られ得る。ビットマップ内の各ビットは、複数のＳＴＡ１０６のうちの特定のＳＴＡ１０６に対応することができ、各ビットの値（たとえば、０または１）は、特定のＳＴＡ１０６がＡＰ１０４においてバッファリングされた保留中のトラフィックを有するかどうかを示すことができる。
【００４７】
[0055]さらに図１を参照すると、ＳＴＡ１０６は、ＡＰ１０４から受信された１つまたは複数のメッセージに基づいて、１つまたは複数のチャネルの品質を推定することができる。たとえば、いくつかの実装形態では、ＳＴＡ１０６は、ＡＰ１０４から、ビーコン信号、ページングメッセージ、あるいはプリアンブル部分を含むパーシャルパケットを、８個の異なる２ＭＨｚチャネルのうちの１つもしくは複数、または１６個の異なる１ＭＨｚチャネルのうちの１つもしくは複数において受信することができる。ＳＴＡ１０６は、受信されたメッセージに基づいて、１ＭＨｚチャネルまたは２ＭＨｚチャネルのうちの１つまたは複数についての信号対雑音比を推定することができる。信号対雑音比が大きいほど、ＳＴＡ１０６によって決定されたチャネルの推定品質は高くなる。したがって、ＳＴＡ１０６は、次いで、各チャネルの推定品質に少なくとも部分的に基づいて、複数のチャネルの相対的な品質を決定することができる。いくつかの態様では、ＳＴＡ１０６は、２つ以上のチャネルを同時にリッスンして、各チャネルの品質を推定することができる。
【００４８】
[0056]また、いくつかの態様では、ＳＴＡ１０６は、様々な手法を利用して、ＡＰ１０４の動作モードまたはチャネル状態に応じてチャネルの品質を推定することができる。たとえば、ＡＰ１０４がチャネルを頻繁には変更しない場合（たとえば、コヒーレンス時間＞＞ビーコンインターバル）、ＳＴＡ１０６は、ビーコン信号に基づいて１つまたは複数のチャネルの品質を推定することができる。ＡＰ１０４がチャネルを頻繁に変更する場合（たとえば、コヒーレンス時間≒ビーコンインターバル）、ＳＴＡは、ＡＰ１０４によって送信されたヌルデータパケット（ＮＤＰ）に基づいて、１つまたは複数のチャネルの品質を推定することができる。さらに、いくつかの態様では、ＡＰ１０４は、ビーコン信号に続くチャネル推定期間を予約することができる。チャネル推定期間の間、ＡＰ１０４は、たとえば、１つまたは複数のチャネルを介してＮＤＰを送ることができる。ＡＰ１０４は、図３Ａの通信タイムライン３００に示されたように、１つまたは複数のチャネルの全部または一部を介して、同時に（たとえば、すべての１ＭＨｚまたは２ＭＨｚチャネル内で）ＮＤＰまたはビーコンフレームを送ることができる。たとえば、ＡＰ１０４は、時間ｔ0およびｔ1において、チャネル１（ＣＨ１）、チャネル２（ＣＨ２）、チャネル３（ＣＨ３）、およびチャネル４（ＣＨ４）上で、同時にＮＤＰまたはビーコンフレームを送信することができる。いくつかの実装形態では、ＡＰ１０４は、図３Ｂの通信タイムライン３５０に示されたように、様々な時間に１つまたは複数のチャネルを介して１つまたは複数のＮＤＰを送ることができる。たとえば、ＡＰ１０４は、時間ｔ0においてＣＨ１上で１つのＮＤＰを送信し、時間ｔ1においてＣＨ２上で別のＮＤＰを送信し、時間ｔ2、ｔ3、ｔ4、ｔ5、ｔ6、およびｔ7を通して１つのチャネル上で１つのＮＤＰを送信することを継続し得る。いくつかの実装形態では、ＡＰ１０４は、異なるターゲットビーコン送信時間（ＴＢＴＴ）において１つまたは複数のチャネルを介して１つまたは複数のビーコンフレームを送り得る。たとえば、ＡＰ１０４は、時間ｔ0においてＣＨ１上で１つのビーコンフレームを送信し、時間ｔ1において別のビーコンフレームＣＨ２を送信し、時間ｔ2、ｔ3、ｔ4、ｔ5、ｔ6、およびｔ7を通じて１つのチャネル上で１つのビーコンフレームを送信することを継続し得る。
【００４９】
[0057]いくつかの実装形態では、ＡＰ１０４は、任意の時間に任意のチャネル上でパケットを受信するように構成され得る。いくつかの実装形態では、２ＭＨｚよりも大きい動作帯域幅を有するＡＰ１０４は、その動作帯域幅内の１ＭＨｚチャネルまたは２ＭＨｚチャネルのうちの１つにおいてそのプライマリチャネルを設定することによって動作し得る。ＡＰ１０４はまた、プライマリチャネル上のパケットのみを受信するように構成され得る。ＡＰ１０４が任意のチャネル上のパケットを受信するように構成された場合、ＳＴＡ１０６は、どのチャネルが使用され得るかを示す必要なしに、任意のチャネル上で任意の時間にＡＰ１０４への送信を開始するように構成され得る。ＡＰ１０４がプライマリチャネル上のみでパケットを受信するように構成された場合、ＳＴＡ１０６は、構成パケットまたは別の方法を使用して、どのチャネル上でＳＴＡ１０６がＡＰ１０４に送信するかについて、ＡＰ１０４に示すように構成され得る。
【００５０】
[0058]ＡＰ１０４は、複数のチャネルのうちの、プリネゴシエーションされたもしくは予め定義された周波数帯域（たとえば、最も低い周波数帯域のチャネル）など、プライマリチャネルと同一のチャネルを用いることがあり得、またはプライマリチャネルを変更することがあり得る。ＡＰ１０４は、たとえば、規則的に間隔をあけられたインターバルの間、または規則的に間隔をあけられていないインターバルであり得る他のインターバルの間、どのチャネルがプライマリチャネルであるかを変更することができる。いくつかの実装形態では、ＡＰ１０４は、図４の通信タイムライン４００に示されたように、規則的に間隔をあけられたインターバルにおいて各チャネルを介して個別にＮＤＰまたはビーコンフレームを送ることができ、次のＮＤＰまたはビーコンフレームが別のチャネル上で送られるまで、ＮＤＰまたはビーコンフレームを直近に送ったチャネルをプライマリチャネルとして使用することができる。たとえば、ＡＰ１０４は、時間ｔ0においてＣＨ１上で１つのＮＤＰまたはビーコンフレームを送信し、時間ｔ1においてＣＨ２上で別のＮＤＰを送信し、時間ｔ2、ｔ3、ｔ4、ｔ5、ｔ6、およびｔ7を通して、１つのチャネル上で１つのＮＤＰを送信することを継続して、ＡＰ１０４のプライマリチャネルを周期的に変更することができる。ＡＰ１０４に関連付けられ得るＳＴＡは、プライマリチャネルの位置（そのチャネルにおいてフレームを受信することによって、現在のプライマリチャネルの位置、または、受信されたフレームに次のプライマリチャネルのための情報を含ませることによって、次のプライマリチャネルの位置、のいずれか）を知らされ得る。プライマリチャネルの切替えは、ＳＴＡとのアソシエーションにおいて提供されるか、または後でＳＴＡとの管理交換を通じて提供されるスケジュールとして、ＡＰ１０４によりＳＴＡに伝達され得る。この情報はビーコン信号に含まれ得る。たとえば、ＩＥＥＥの（拡張）チャネル切替えアナウンスメントフレームまたは他の要素（たとえば、サブチャネル選択送信要素）が、１つのチャネルから別のチャネルへの切替えを示すのに用いられ得る。要素は、さらに将来のチャネル切替えに関する情報も含むことによって、改善され得る。
【００５１】
[0059]ＳＴＡ１０６は、ＡＰ１０４がプライマリチャネルの変更をＳＴＡ１０６に通知したときには、チャネルを切り替えないことがある。代わりに、ＳＴＡ１０６は、ＡＰ１０４が別のチャネルに移動した後でも、その選択されたチャネルに留まり得る。この場合、ＡＰ１０４の１つまたは複数の動作チャネルがＳＴＡ１０６の選択されたチャネルを含まないことがあるので、ＳＴＡ１０６はＡＰ１０４にパケットを送らないことがある。ＳＴＡ１０６は、ＡＰがプライマリチャネルをＳＴＡ１０６の動作チャネルを含むチャネルに戻すとすぐに、ＡＰ１０４との動作を再開することができる。いくつかの実装形態では、ＡＰ１０４は、ＡＰ１０４がどのチャネルに切り替えようとしているかをＳＴＡ１０６に示さないことがある。ＳＴＡ１０６がチャネルを切り替えようとしていない場合、ＡＰ１０４は、ＡＰ１０４がどのチャネルに乗ろうとしているかをＳＴＡ１０６に警告するのではなく、ＡＰ１０４がいつＳＴＡ１０６の選択されたチャネルに乗ろうとしているかをＳＴＡ１０６に警告することができる。いくつかの実装形態では、ＡＰ１０４は、ＡＰ１０４がいつチャネル上にいるかをチャネル上のＳＴＡが気付くように、チャネル上のその動作がいつ始まり、いつ終わるかを示すことができる。この場合、所与のチャネル上のＢＳＳは、ＡＰ１０４がそのチャネル上にいる時間の一部の間だけアクティブでいることができる。ＡＰ１０４は、複数のチャネル上の同じ基本サービスセット識別情報（ＢＳＳＩＤ）とサービスセット識別情報（ＳＳＩＤ）とを使用することができるか、または異なるチャネルについての異なるＢＳＳＩＤを使用することができる。さらに、ＡＰ１０４は、そのビーコンフレームが送信されるチャネルに依存する異なる情報を含むビーコンフレームを送ることがあり得る。
【００５２】
[0060]ＳＴＡ１０６は、メッセージまたはデータの送信用に最高の品質を有するチャネルを選択することができる。有利なことに、１ＭＨｚまたは２ＭＨｚチャネルは、２０ＭＨｚチャネルよりも少ない周波数ダイバーシティに起因して高いマルチパスフェージングマージンを必要とし得るので、たとえば、最高の品質を有する１ＭＨｚまたは２ＭＨｚチャネルは、別のチャネルよりも低いマルチパスフェージングマージンを有し得る。したがって、ＳＴＡ１０６はまた、たとえば、より高い送信レートで選択されたチャネル上のデータ送信に成功することが可能であり得る。
【００５３】
[0061]いくつかの実装形態では、ＡＰ１０４に関連付けられたＳＴＡ１０６が、たとえばＢＳＳ動作チャネル幅（Ｏｐ  ＣＷ）など、ＢＳＳのために許容された動作チャネルとしてＡＰ１０４によって示されたチャネル上で、パケットを送信および受信する。一般的に、ＡＰ１０４は、ＢＳＳ  Ｏｐ  ＣＷの許容された動作チャネルから、１つのチャネル（たとえば、プライマリチャネル番号（ＰＣＮ））またはチャネルのサブセットを選択し、選択された（１つまたは複数の）チャネルを（１つまたは複数の）プライマリチャネルとして用い得る。プライマリチャネルでは、ＢＳＳのＡＰ１０４に関連付けられたＳＴＡ１０６が、バックオフプロシージャを実行し、パケットを送信し、および／または相互に管理フレームを交換する。プライマリチャネルとして選択されない残りの動作チャネルは、セカンダリチャネルとして用いられる。セカンダリチャネルは、送信レートを増大させるために送信されるＰＰＤＵの帯域幅を拡張するように、ＳＴＡ１０６によって用いられ得る。
【００５４】
[0062]ＡＰ１０４がＢＳＳをセットアップすることで、ＢＳＳ  Ｏｐ  ＣＷ（たとえば、１ＭＨｚから１６ＭＨｚ）と、ＢＳＳ  Ｏｐ  ＣＷ内のプライマリチャネル（ＰＣＮ）のロケーションとが特定され得る。ある例では、ＡＰ１０４がＢＳＳをセットアップすることで、８ＭＨｚというＢＳＳ  Ｏｐ  ＣＷが特定され、２ＭＨｚのプライマリチャネルが選択され、残りの６つのチャネルがセカンダリチャネルとして定義され得る。一態様では、ＡＰ１０４がＢＳＳをセットアップするときには、ＡＰ１０４は、ＢＳＳ  Ｏｐ  ＣＷ内にプライマリチャネルの同じセットを維持し得、比較的長い切替え時間を有し得るチャネル切替えプロシージャを用いて、プライマリチャネルを変更し得る。ＡＰ１０４に関連付けられたＳＴＡ１０６は、それらのアソシエーション期間の間に、プライマリおよびセカンダリチャネルのロケーションを前もって知り得るのであり、プライマリチャネルではない（または、プライマリチャネルを含まない）チャネルにおいて送信することが許可されないことがあり得る。
【００５５】
[0063]いくつかの実装形態では、サブチャネル選択送信（ＳＳＴ）プロシージャが、ＳＳＴのために構成されたＳＴＡ１０６が（１つまたは複数の）プライマリチャネルのロケーションを動的に変更することを可能にするように提供され得る（たとえば、ビーコンインターバル内のあらゆるビーコンインターバルまたはあらゆる複数のサブインターバル）。ＳＳＴのために構成されたＳＴＡ１０６は、その上でチャネルのサブセットを（一時的な）プライマリチャネルとして動作させて用いる、ＢＳＳ  Ｏｐ  ＣＷの許容された動作チャネルのサブセットを選択し得る。
【００５６】
[0064]ＡＰ１０４は、ＳＴＡ１０６（または、ＳＴＡのグループ）がある時間インターバルの間用いることが許されるＳＳＴチャネルのサブセットを、動的にシグナリングすることができる。許されたＳＳＴチャネルのサブセットは、たとえば、ＳＳＴ要素を（短い）ビーコンまたは管理（または制御）フレームに含めることによって、シグナリングされ得る。このシグナリングは、ＳＴＡ１０６がアクセスすることを許容されたチャネルと、送信されたＰＰＤＵの最大帯域幅と、チャネルにアクセスするための開始時間とを含み得る。ＳＳＴ要素は、以下のフォーマットを有し得る：  
【表１】
2016541160.tif 000003
【００５７】
[0065]上のＳＳＴ要素を参照すると、チャネルアクティビティビットマップのサブフィールドは、所与の時間にその上で送信アクティビティが予想されるまたは許されるチャネルを示すビットマップを含む。ＵＬアクティビティのサブフィールドとＤＬアクティビティのサブフィールドとは、ＵＬアクティビティ／ＤＬアクティビティのサブフィールドを送信するＡＰ１０４に関連付けられたＳＴＡ１０６が、アクティビティ開始時間のサブフィールドによって示された時間においてチャネルアクティビティビットマップと最大送信幅とのサブフィールドによって識別されたチャネルの上で送信することが許されているか／受信することが予定されているか、を示すビットを含む。
【００５８】
[0066]最大送信幅（Maximum Transmission Width）サブフィールドは、示されたチャネル上での送信のための最大許容ＰＰＤＵ帯域幅を示す。アクティビティ開始時間のサブフィールドは、対応するチャネルアクティビティビットマップのサブフィールドに示されたチャネル上でＡＰ１０４がいつアクティビティを予想するか、についての開始時間を定義する値を含む。開始時間は、アクティビティ開始時間のサブフィールドを含むフレームの送信から開始して、ＢＳＳのためのタイミング同期関数（ＴＳＦ）の１９の最下位ビットがアクティビティ開始時間のサブフィールドにおける値と一致する次の時間と、同一であり得る。
【００５９】
[0067]いくつかの実装形態では、ＳＳＴプロシージャをサポートするＢＳＳをセットアップすることを意図するＡＰ１０４は、ＳＳＴプロシージャから完全に利益を得るのに十分な幅（たとえば、１６ＭＨｚ）を有するＢＳＳ  Ｏｐ  ＣＷを示すことを好み得る。たとえば、広い帯域幅は、ＳＴＡ１０６に、プライマリチャネルのロケーションを変更するためにより多くのチャネル選択肢（たとえば、増加した数の利用可能なチャネル）を提供する。しかし、これは、たとえば、ＢＳＳ動作が１ＭＨｚまたは２ＭＨｚだけのＢＳＳ  Ｏｐ  ＣＷに制限されているというような、特定の国においてはＢＳＳ動作がチャネルのうちの特定のサブセットに制限されるスペクトル規制制限などの様々な理由により、可能ではない場合があり得る。よって、ＳＳＴ機能をＢＳＳ  Ｏｐ  ＣＷに結び付けることが、ＳＳＴの利点を縮小してしまうため、望ましくないことがあり得る。
【００６０】
[0068]いくつかの態様では、ＳＳＴプロシージャが、ＢＳＳ  Ｏｐ  ＣＷとは独立にＳＳＴチャネルをＡＰ１０４がセットアップすることを可能にするように、改善され得る。ＡＰ１０４は、たとえばＳＳＴ動作チャネル幅（ＳＳＴ  Ｏｐ  ＣＷ）など、ＢＳＳ  Ｏｐ  ＣＷとは独立であり得るかまたはＢＳＳ  Ｏｐ  ＣＷをＳＳＴ  Ｏｐ  ＣＷのサブセットとして含み得る、ＳＳＴプロシージャのための許容された動作チャネルのセットを指定し得る。ＳＳＴをサポートするＡＰ１０４は、（ショート）ビーコン、プローブ／アソシエーション応答、および他の管理フレームに含まれ得る要素（たとえば、（Ｓ１Ｇ）能力要素など）において、ＳＳＴ  Ｏｐ  ＣＷをアドバタイズし得る。ＳＳＴ  Ｏｐ  ＣＷが、ＡＰ１０４に関連付けられたＳＴＡ１０６がＳＳＴプロシージャにおいて用いることを予想できる許容されたチャネルのセットを示す。一態様では、ＳＳＴ  Ｏｐ  ＣＷは、ＢＳＳ  Ｏｐ  ＣＷに関連付けられたチャネル（ＢＳＳ  Ｏｐ  ＣＷに関連付けられた（１つまたは複数の）プライマリチャネルを含む）を含み得る。別の態様では、ＳＳＴ  Ｏｐ  ＣＷは、ＢＳのＯｐ  ＣＷに関連付けられたチャネルを含まず、ＢＳＳ  Ｏｐ  ＣＷのロケーションに関しては、オフチャネルであり得る。
【００６１】
[0069]いくつかの実装形態では、ＳＳＴ  Ｏｐ  ＣＷは、必ずしも連続的ではない物理チャネルを、仮想的に連続であり得る仮想チャネルのセットにマッピングし得る。ＡＰ１０４は、この物理チャネルから仮想チャネルへのマッピングを、管理フレームを介して、関連付けられたＳＴＡ１０６にシグナリングし得る。あるいは、ＡＰ１０４が、知られている予め定義されたマッピングを用いることもあり得る。さらに、ＳＳＴ  Ｏｐ  ＣＷは、ＢＳＳ  Ｏｐ  ＣＷのＰＣＮに隣接する（および／または、それを含み得る）１組の連続する物理チャネルに基づき得る。物理チャネルは、また、「オフセット」の数のチャネルだけ離間されたものであり得、ここで、オフセットとは、ＳＳＴ要素、（Ｓ１Ｇ）能力要素、または、ビーコン、アソシエーション要求／応答、もしくは管理フレームに含まれ得る一般的で任意の要素に含まれ得る３ビット以上のオフセットフィールドによって通知され得る符号付きの整数であり得る。
【００６２】
[0070]図５は、物理チャネルから仮想チャネルへのマッピングの例を示す図５００である。第１の例（例１）では、動作チャネルのセット（たとえば、ＳＳＴ  Ｏｐ  ＣＷ）５１０が、必ずしも連続しない物理チャネルにマッピングされる仮想チャネル５１５のセットを含み得る。例１では、ＡＰ１０４は、１ＭＨｚというＢＳＳ  Ｏｐ  ＣＷを用いて、ＢＳＳをセットアップしたものと仮定され得る。第２の例（例２）では、動作チャネルのセット（たとえば、ＳＳＴ  Ｏｐ  ＣＷ）５２０が、必ずしも連続しない物理チャネルにマッピングされる仮想チャネル５２５のセットを含み得る。例２では、ＡＰ１０４は、２ＭＨｚというＢＳＳ  Ｏｐ  ＣＷを用いて、ＢＳＳをセットアップしたものと仮定され得る。ＰＣＮは、動作チャネルのセット５１０（たとえば、ＰＣＮ５３０）もしくは動作チャネルのセット５２０（たとえば、ＰＣＮ５４０）に含まれるチャネルのうちの１つであり得るか、または、他のどこか（たとえば、ＳＳＴ動作帯域の外部）に位置し得る。
【００６３】
[0071]いくつかの実装形態では、（１つまたは複数の）プライマリチャネルのロケーションはＢＳＳ  Ｏｐ  ＣＷ内のＳＴＡ１０６に知られているが、この（１つまたは複数の）プライマリチャネルのロケーションが、ＳＳＴ  Ｏｐ  ＣＷが用いられるときには知られていない場合があり得る。よって、ＡＰ１０４は、このプライマリチャネル（またはＰＣＮ）のロケーションを示すために、オフセットを提供し得る。このオフセットは、現在の一時的なプライマリチャネルに対するプライマリチャネル（またはＰＣＮ）のロケーションを示し得る。あるいは、このオフセットは、プライマリチャネル（またはＰＣＮ）に対する現在の一時的なプライマリチャネルのロケーションを示し得る。
【００６４】
[0072]一態様では、ＡＰ１０４は、ＳＳＴ要素またはいずれかの他の要素へのプライマリチャネルオフセットフィールドを含み得る（たとえば、Ｓ１Ｇ能力要素において）。プライマリチャネルオフセットフィールドは、ＳＳＴ  Ｏｐ  ＣＷ内における、またはＳＳＴ  Ｏｐ  ＣＷに対する、プライマリチャネル（またはＰＣＮ）の位置を示し得る。オフセットは、ＳＳＴ  Ｏｐ  ＣＷまたはチャネルアクティビティビットマップ（ＣＡＢ）フィールド内の異なるプレースホルダ（たとえば、チャネル数やビットなど）によって表され得る。プライマリチャネル（またはＰＣＮ）の相対的位置は、ＣＡＢフィールドにおける最下位ビットによって識別された最も低いチャネルとの関係で示され得る。あるいは、プライマリチャネル（またはＰＣＮ）の相対的ロケーションは、ＣＡＢフィールドにおける最上位ビットによって識別された最も高いチャネルとの関係で示され得る。たとえば、プライマリチャネルオフセットが３ビットである場合には、（２ＭＨｚの）プライマリチャネルのロケーションは、（各ビットが２ＭＨｚのＳＳＴチャネルを示す）８ビットのＣＡＢにおいて一意的に識別され得る。１ＭＨｚのプライマリチャネルの識別（identification）は、追加的な１ビットによって識別されることが可能であり、これにより、１ＭＨｚのプライマリチャネルが、２ＭＨｚのプライマリチャネル内で、２ＭＨｚのプライマリチャネルのより低いチャネルまたはより高いチャネルとして位置を特定され得る。１ＭＨｚのプライマリチャネルのロケーションは、予め定義されていることもあり得る。
【００６５】
[0073]別の態様では、ＡＰ１０４は、ＳＳＴ要素またはいずれかの他の要素へのＳＳＴ  Ｏｐ  ＣＷオフセットフィールドを含み得る（たとえば、Ｓ１Ｇ能力要素において）。ＳＳＴ  Ｏｐ  ＣＷオフセットフィールドは、既存のプライマリチャネル（またはＰＣＮ）との関係でのＳＳＴ  Ｏｐ  ＣＷの位置を示し得る。ＡＰ１０４がプライマリチャネルとＢＳＳ  Ｏｐ  ＣＷとを用いてＢＳＳをセットアップしたであろうということを所与とすると、プライマリチャネルのロケーションは、ＡＰ１０４に関連付けられたＳＴＡ１０６によって既に知られている場合があり得る。よって、ＳＳＴプロシージャのために構成されたＳＴＡ１０６は、ＳＳＴ要素によって特定された１つまたは複数のアクティビティ開始時間のためのＳＳＴ  Ｏｐ  ＣＷと最終的には一時的な（１つまたは複数の）プライマリチャネルとのロケーションを識別するために、ＳＳＴ  Ｏｐ  ＣＷオフセットを用い得る。ＳＳＴ  Ｏｐ  ＣＷは、ＢＳＳ  Ｏｐ  ＣＷとの関係では、帯域の外（out-of-band）にあり得る。たとえば、ＳＳＴ  Ｏｐ  ＣＷオフセットは、３ビットの長さを有し得、プライマリチャネルのロケーションとの関係で、チャネルアクティビティビットマップにおける最下位ビットの相対的ロケーションを示し得る（物理チャネルマッピングまたは仮想チャネルマッピング）。よって、プライマリチャネルが所与のマッピング（たとえば仮想マッピング）に対して５として識別される場合には、値４を有するＳＳＴ  Ｏｐ  ＣＷオフセットは、（チャネルが、２ＭＨｚの単位と１６ＭＨｚのＳＳＴ  Ｏｐ  ＣＷとによって分割されると仮定すると）チャネル９から１６においてＳＳＴ動作が許容されるということを示し得る。別の例では、ＳＳＴ  Ｏｐ  ＣＷオフセットは、４ビットの長さを有し得るのであって、ＳＳＴ  Ｏｐ  ＣＷがプライマリチャネルのロケーションよりも上に位置するかまたは下に位置するかを示すインジケーションを含み得る。さらに、ＳＳＴ  Ｏｐ  ＣＷオフセットは、ＢＳＳ  Ｏｐ  ＣＷ（またはＰＣＮ）との関係で、帯域のより高い部分またはより低い部分に位置するＳＳＴ  Ｏｐ  ＣＷを識別する符号付きの整数であり得る。
【００６６】
[0074]一実装形態では、上で論じられたオフセットフィールドのうちの１つを含むために、１または複数のバイトがＳＳＴ要素に追加され得る。この１または複数のバイトは、たとえば２から８ビットのサイズを有する１つまたは複数のオフセットを含み得る。他の情報が、オフセットフィールドに追加されることもあり得る。たとえば、２ＭＨｚのプライマリチャネル内における１ＭＨｚのプライマリチャネルのロケーションを示すために、１ビットが追加され得る。よって、プライマリロケーションは、ＳＳＴ要素ベース、Ｓ１Ｇ要素ベース、またはアクティビティ開始時間ベースで、動的にシグナリングされ得る。別の実装形態では、上で論じられたオフセットフィールドの１つを含むために、アクティビティ開始時間フィールドの長さが、１９から（１９−オフセットサイズ）まで短縮され得る。たとえば、オフセットフィールドの長さが３ビットである場合には、アクティビティ開始時間フィールドは、１６ビット（１９ビット−３ビット＝１６ビット）まで短縮される。
【００６７】
[0075]一般的に、上述されたオフセットの記述は、たとえば、ターゲットウェイクタイム（ＴＷＴ）要素または限定アクセスウィンドウ（ＲＡＷ）パラメータセット（ＲＰＳ）要素など、同様のシグナリングを提供する複数の要素に適用され得る。
【００６８】
[0076]一態様では、チャネルアクティビティビットマップ（ＣＡＢ）フィールドの粒度が、低下され得る。ＣＡＢフィールドは、８ビットの長さを有し、ＳＳＴ  Ｏｐ  ＣＷにおける２ＭＨｚチャネルのロケーションを識別し得る。たとえばＳＳＴ  Ｏｐ  ＣＷの１ＭＨｚチャネルのロケーションを識別するなど、より低い粒度を有するためには、ＣＡＢフィールドは、各ビットがＳＳＴ  Ｏｐ  ＣＷの１ＭＨｚチャネルを識別する、２バイト（１６ビット）まで拡張され得る。
【００６９】
[0077]いくつかの実装形態では、「広い帯域幅」のＢＳＳに関連付けられたＳＴＡ１０６が、「狭帯域」のサブチャネル選択送信（ＳＳＴ）を実行し得る。一態様では、より広い帯域幅（たとえば、１６ＭＨｚのＢＳＳ  Ｏｐ  ＣＷ）をサポートするＢＳＳの１ＭＨｚまたは２ＭＨｚチャネル上で動作することを望む（またはそれに限定された）ＳＴＡ１０６は、そのより広い帯域幅内で最良のチャネルを発見し、そのチャネル上でフレームを送信／受信し得る。ＳＴＡ１０６がチャネルのピークにおいて動作することができるので、ＳＳＴは、狭帯域の送信を、不利から有利に転換するのである。
【００７０】
[0078]広い帯域幅（広いＢＷ）の動作は、ＢＳＳ動作ＢＷに結合され得る。よって、ＢＳＳが限定された動作帯域幅（たとえば、１ＭＨｚのＢＳＳまたは２ＭＨｚのＢＳＳ）を有する場合には、ＳＳＴプロシージャを実行することが可能ではないことがあり得る。限定された動作帯域幅を有するＢＳＳにおけるＳＳＴ動作を可能にするために、広い帯域幅の動作が、ＢＳＳ動作ＢＷから分離され得る（しかし、ＢＳＳ動作ＢＷを含み得る）。
【００７１】
[0079]一態様では、広い帯域幅の動作が、ＢＳＳ動作ＢＷを拡張するＳＳＴ動作ＢＷとして定義され得る。たとえば、２ＭＨｚのＢＳＳ動作ＢＷを用いてＢＳＳをセットアップするＡＰ１０４は、１６ＭＨｚのＳＳＴ動作ＢＷにおける動作を示し得る。ＳＳＴをサポートするＳＴＡ１０６は、予め定義されたＳＳＴプロシージャに従って、１６ＭＨｚのサブチャネルのいずれかにおいて選択的に送信することができる。
【００７２】
[0080]ＳＳＴ動作ＢＷでは、ＢＳＳのプライマリチャネルのロケーションは、各アクティビティ開始時間において、ＳＴＡ１０６に対して不明確（未知）であり得る。したがって、ＡＰ１０４は、ＳＳＴ要素におけるＢＳＳのプライマリチャネルへのオフセットを含み得る。このオフセットは、チャネルアクティビティビットマップ（ＣＡＢ）におけるアクティビティ開始時間においてプライマリチャネルの位置を特定し得る。ＣＡＢ内のプライマリチャネルへのオフセットにより、ＳＳＴをサポートするＳＴＡ１０６が正常なＢＳＳ動作に戻ることが、可能になる。
【００７３】
[0081]一態様では、ＳＳＴ動作要素は、以下のフォーマットを有し得る。  
【表２】
2016541160.tif 000004
【００７４】
[0082]ＳＳＴ動作要素は、ＳＳＴイネーブルドチャネルビットマップ（SST Enabled Channel Bitmap）フィールドと、プライマリチャネルオフセットフィールドと、最大送信幅フィールドとを含み得る。ＳＳＴイネーブルドチャネルビットマップフィールドは、たとえば、通信のためにイネーブルされたチャネルの数を示すなど、ＳＳＴをサポートするＳＴＡ１０６がＳＳＴ動作のために用い得るチャネルのセットを示し得る。通信は、送信、受信、または送信と受信の両方を含み得る。ＢＳＳは、示されたチャネルのセットのサブセット（プライマリチャネルを含む）において動作し得る。プライマリチャネルオフセットフィールドは、ＳＳＴイネーブルドチャネルビットマップにおけるプライマリチャネルのロケーションを示し得る。最大送信幅フィールドは、ＳＳＴをサポートするＳＴＡ１０６によって送信されるＰＰＤＵの最大許容帯域幅を示し得る。とりわけ、独立の要素におけるＰＰＤＵの最大許容帯域幅を示すことにより、情報が、ターゲットウェイクタイム（ＴＷＴ）要素または限定アクセスウィンドウ（ＲＡＷ）パラメータセット（ＲＰＳ）要素のために用いられることが可能になる。ＳＳＴ動作要素は、オプションとして、ＳＳＴイネーブルドチャネルビットマップにおける各チャネルの帯域幅（たとえば、１ＭＨｚまたは２ＭＨｚ）を示し得る最小チャネル単位フィールドを含み得る。
【００７５】
[0083]図６は、１６ＭＨｚのＳＳＴ動作帯域幅の例を示す図６００である。いくつかの実装形態では、ＳＴＡ１０６は、デフォルトでは、ＢＳＳプライマリチャネル（たとえば２ＭＨｚ）で動作し得、それぞれのＢＳＳ動作ＣＷ制限プロシージャに従い得る。ＳＳＴ動作要素は、１６ＭＨｚのＳＳＴイネーブルド帯域幅を示し得、ここで、プライマリチャネルロケーションは、ＳＳＴイネーブルドチャネルビットマップ内の位置１に特定され得る。ＡＰ１０４は、さらに、ＳＳＴチャネル上のＰＰＤＵ送信のための帯域幅を縮小／増大させるために、許可／制限を示し得る。チャネルアクティビティビットマップ（ＣＡＢ）は、また、上述されたようにも用いられ得る。ＣＡＢは、１６ＭＨｚのＳＳＴ動作ＢＷ上の狭い２ＭＨｚのサブチャネルに基づいて、所与の時間におけるＵＬ／ＤＬのためにイネーブルされたチャネルを示し得る。
【００７６】
[0084]いくつかの実装形態では、プライマリチャネルオフセットフィールドは、ＢＳＳ（およびＢＳＳ動作ＢＷ）のプライマリチャネルロケーションを示し得る。たとえば、プライマリチャネルオフセットフィールドは、ＳＳＴ動作（ＳＳＴ  ＢＷの最大使用可能ＢＷ）の全体を通じて、静的なインジケーションを提供し得る。追加または代替として、プライマリチャネルオフセットは、ＳＳＴ動作（２＊ＳＳＴ  ＢＷの最大使用可能ＢＷ）の全体を通じて、動的なインジケーションを提供し得る。ＣＡＢフィールドは、１６ＭＨｚのＳＳＴ動作ＢＷ上の狭い２ＭＨｚのサブチャネルに基づいて、所与の時間におけるＵＬ／ＤＬのためにイネーブルされたチャネルを示し得る。最大送信幅フィールドは、２、４、８、および１６ＭＨｚの送信についてのマッピングを用いて、２ビットの長さを有し得る。最大送信幅フィールドは、１、２、４、８、および１６ＭＨｚの送信についてのマッピングを用いて、３ビットの長さに拡張され得る。
【００７７】
[0085]一態様では、ＳＳＴ要素は、以下のフォーマットを有し得る。  
【表３】
2016541160.tif 000005
【００７８】
[0086]いくつかの実装形態では、ＳＳＴ要素のチャネルアクティビティスケジュールフィールドは、所与の時間においてＵＬ／ＤＬのためにイネーブルされたチャネルを示すチャネルアクティビティビットマップフィールドを含み得る。これによって、ＳＴＡ１０６が、１６ＭＨｚの「広いＢＷ」動作ではなく、２ＭＨｚチャネルを選択することが可能になる。ＳＳＴをサポートするＳＴＡ１０６に有用な、ＳＳＴ要素のチャネルアクティビティスケジュールフィールドに含まれる他の情報は、アクティビティ開始時間、アクティビティのタイプ（ＵＬ／ＤＬ）、最大送信幅、プライマリチャネルオフセットなどを含む。ＳＳＴ動作ＢＷにおいて、ＢＳＳプライマリチャネルのロケーションは、各アクティビティの開始時間においては、ＳＴＡ１０６にとって、不明確（未知）であり得る。したがって、ＡＰ１０４は、ＳＳＴ要素において、ＢＳＳプライマリチャネルへのオフセットを含み得る。このオフセットは、チャネルアクティビティビットマップ（ＣＡＢ）において、アクティビティ開始時間でのプライマリチャネルの位置を特定し得る。
【００７９】
[0087]一般的に、上述したオフセットの説明は、たとえば、ターゲットウェイクタイム（ＴＷＴ）要素や限定アクセスウィンドウ（ＲＡＷ）パラメータセット（ＲＰＳ）要素など、同様のシグナリングを提供する複数の要素に適用され得る。
【００８０】
[0088]図７は、ワイヤレス通信の例示的な方法７００のフローチャートである。方法７００は、第１の装置（たとえば、図２のワイヤレスデバイス２０２など）を使用して実行され得る。方法７００は、図２のワイヤレスデバイス２０２の要素に関して以下で説明されるが、本明細書に記載されたステップのうちの１つまたは複数を実施するために他の構成要素が使用され得る。
【００８１】
[0089]ブロック７０５では、第１の装置が、第２の装置が第１の装置と通信することが許可される動作チャネル幅（Ｏｐ  ＣＷ）において少なくとも１つのプライマリチャネルのロケーションを設定し得る。用語「通信」とは、送信、受信、または送信と受信の両方、を含み得る。少なくとも１つのプライマリチャネルのロケーションを設定することは、たとえば、プロセッサ２０４によって実行され得る。
【００８２】
[0090]ブロック７１０では、第１の装置が、動作チャネルのセット（たとえば、ＳＳＴ  Ｏｐ  ＣＷ）を定義し得、これは、Ｏｐ  ＣＷとは独立であり得る。動作チャネルのセットは、第１の装置と通信するために第２の装置が利用可能なチャネルの数に基づいて定義され得る。動作チャネルのセットは、第１の装置と通信するために第２の装置がそれを介して少なくとも１つのプライマリチャネルのロケーションを変更することが許可される少なくとも１つのチャネルを含み得る。一態様では、Ｏｐ  ＣＷに関連付けられた少なくとも１つのチャネルは、動作チャネルのセットに関連付けられる。別の態様では、Ｏｐ  ＣＷに関連付けられたどのチャネルも、動作チャネルのセットに関連付けられない。動作チャネルのセットを定義することは、たとえば、プロセッサ２０４によって実行され得る。
【００８３】
[0091]ブロック７１５では、第１の装置が、動作チャネルのセットを第２の装置に示し得る。動作チャネルのセットを示すことは、動作チャネルのセットのうちの少なくとも１つのチャネルの各々のロケーションを、チャネルアクティビティビットマップ（ＣＡＢ）を介して示すことを含み得る。ＣＡＢは、動作チャネルのセットのうちの１つのチャネルを各ビットが識別する、少なくとも１つのビットを含み得る。一態様では、ＣＡＢは、動作チャネルのセットのうちの１−ＭＨｚチャネルを各ビットが識別する、１６ビットを含む。動作チャネルのセットのインジケーションは、たとえば、プロセッサ２０４および／または送信機２１０によって、実行され得る。別の態様では、ＣＡＢは、動作チャネルのセットのうちのＸ−ＭＨｚチャネルを各ビットが識別する、８ビットを含み、ここで、Ｘは、ＡＰ１０４がＢＳＳ動作のためにセットアップしたプライマリチャネルの幅として定義される。たとえば、ＡＰ１０４が２ＭＨｚのＢＳＳをセットアップする場合には、各ビットは、動作チャネルのセットの２ＭＨｚチャネルをそれぞれ識別する。
【００８４】
[0092]さらなる態様では、動作チャネルのセットを示すことは、通信のためにイネーブルされたチャネルの数を指定するビットマップ（たとえば、ＳＳＴイネーブルドチャネルビットマップ）を示すこと、Ｏｐ  ＣＷにおける少なくとも１つのプライマリチャネルのロケーションを識別するために、ビットマップによって指定された少なくとも１つのチャネルに関連付けられたオフセット（たとえば、プライマリチャネルオフセット）を示すこと、ビットマップによって指定された各チャネルの帯域幅（たとえば、最小チャネル単位）を示すこと、および／またはデータ単位を送信するための第２の装置についての最大帯域幅（たとえば、最大送信幅）を示すこと、を含み得る。
【００８５】
[0093]ブロック７２０では、第１の装置が、Ｏｐ  ＣＷにおける少なくとも１つのプライマリチャネルのロケーションを識別するために、動作チャネルのセットのうちの少なくとも１つのチャネルに関連付けられたオフセットを示し得る。ブロック７２５では、第１の装置が、動作チャネルのセットのロケーションを識別するために、Ｏｐ  ＣＷにおける少なくとも１つのプライマリチャネルのロケーションに関連付けられたオフセットを示し得る。いずれのオフセットのインジケーションも、たとえばプロセッサ２０４および／または送信機２１０によって、実行され得る。以上の説明ではオフセットに言及しているが、一般的には、プライマリチャネルの任意のタイプの識別が好適であり得る、ということに注意すべきである。たとえば、第２のＯｐ  ＣＷにおけるプライマリチャネルは、たとえばＳＳＴのＰＣＮなど、追加的なプライマリチャネル番号によっても、識別され得る。一般的に、２つのプライマリチャネルの相対的ロケーションは、様々な方法でシグナリングされ得る。
【００８６】
[0094]図８は、例示的なワイヤレス通信デバイス８００の機能ブロック図である。ワイヤレス通信デバイス８００は、複数のチャネルを介して第２のデバイスからメッセージをワイヤレスに受信するように構成された受信機８０５を含むことができる。受信機８０５は、受信機２１２に対応し得る。ワイヤレス通信デバイス８００は、第２のデバイスがワイヤレス通信デバイス８００と通信することが許可される動作チャネル幅（Ｏｐ  ＣＷ）において少なくとも１つのプライマリチャネルのロケーションを設定し、Ｏｐ  ＣＷとは独立に、ワイヤレス通信デバイス８００と通信するために第２のデバイスがそれを介して少なくとも１つのプライマリチャネルのロケーションを変更することが許可される少なくとも１つのチャネルを備える動作チャネルのセットを定義し、動作チャネルのセットを第２のデバイスに示し、Ｏｐ  ＣＷにおける少なくとも１つのプライマリチャネルのロケーションを識別するために、動作チャネルのセットのうちの少なくとも１つのチャネルに関連付けられたオフセットを示し、動作チャネルのセットのロケーションを識別するために、Ｏｐ  ＣＷにおける少なくとも１つのプライマリチャネルのロケーションに関連付けられたオフセットを示す、ように構成された処理システム８１０をさらに含み得る。処理システム８１０は、図７のブロック７０５、７１０、７１５、７２０、および７２５との関係で、上で論じられた１つまたは複数の機能を実行するように構成され得る。処理システム８１０は、プロセッサ２０４に対応し得る。ワイヤレス通信デバイス８００は、動作チャネルのセットを第２のデバイスに示し、Ｏｐ  ＣＷにおける少なくとも１つのプライマリチャネルのロケーションを識別するために、動作チャネルのセットのうちの少なくとも１つのチャネルに関連付けられたオフセットを示し、動作チャネルのセットのロケーションを識別するために、Ｏｐ  ＣＷにおける少なくとも１つのプライマリチャネルのロケーションに関連付けられたオフセットを示す、ように構成された送信機８１５をさらに含み得る。送信機８１５は、図７のブロック７１５、７２０、および７２５との関係で、上で論じられた１つまたは複数の機能を実行するように構成され得る。送信機８１５は、送信機２１０に対応し得る。
【００８７】
[0095]さらに、一態様では、第２の装置が第１の装置と通信することが許可される動作チャネル幅（Ｏｐ  ＣＷ）において少なくとも１つのプライマリチャネルのロケーションを設定するための手段は、１つまたは複数のアルゴリズムを実行する処理システム８１０を備え得る。たとえば、基本サービスセット（ＢＳＳ）をセットアップする処理システム８１０は、そのＢＳＳ（たとえば、ＢＳＳ動作チャネル幅（ＢＳＳ  Ｏｐ  ＣＷ））のために、許可された動作チャネルのセットを決定し得る。いったんＢＳＳ  Ｏｐ  ＣＷが決定されると、処理システム８１０は、ＢＳＳ  Ｏｐ  ＣＷ内にプライマリチャネルのロケーションを設定し、ＢＳＳ  Ｏｐ  ＣＷにおける残りのチャネルをセカンダリチャネルとして定義し得る。
【００８８】
[0096]別の態様では、Ｏｐ  ＣＷとは独立に動作チャネルのセットを定義するための手段は、１つまたは複数のアルゴリズムを実行する処理システム８１０を備え得る。たとえば、処理システム８１０は、第２の装置が第１の装置と通信するために利用可能なチャネルの数を決定し得る。いったん利用可能なチャネルの数が決定されると、処理システム８１０は、第２の装置が、利用可能なチャネルの数に基づいて第１の装置と通信するために、それを介して少なくとも１つプライマリチャネルのロケーションを変更することが許可される少なくとも１つのチャネルを含むように、動作チャネルのセットを定義し得る。
【００８９】
[0097]さらなる態様では、動作チャネルのセットを第２の装置に示すための手段は、１つまたは複数のアルゴリズムを実行する処理システム８１０と送信機８１５とを備え得る。たとえば、上述されたように、処理システム８１０は、第２の装置が第１の装置と通信するために利用可能なチャネルの数を決定し得る。いったん利用可能なチャネルの数が決定されると、処理システム８１０は、第２の装置が、利用可能なチャネルの数に基づいて第１の装置と通信するために、それを介して少なくとも１つプライマリチャネルのロケーションを変更することが許可される少なくとも１つのチャネルを含むように、動作チャネルのセットを定義し得る。その後で、送信機８１５が、動作チャネルのセットを第２の装置に示すために、処理システム８１０によって、実行され得る。
【００９０】
[0098]一態様では、Ｏｐ  ＣＷにおける少なくとも１つのプライマリチャネルのロケーションを識別するために、動作チャネルのセットのうちの少なくとも１つのチャネルに関連付けられたオフセットを示すための手段と、動作チャネルのセットのロケーションを識別するために、Ｏｐ  ＣＷにおける少なくとも１つのプライマリチャネルのロケーションに関連付けられたオフセットを示すための手段と、Ｏｐ  ＣＷにおける少なくとも１つのプライマリチャネルのロケーションを識別するために、ビットマップによって指定された少なくとも１つのチャネルに関連付けられたオフセットを示すための手段とは、１つまたは複数のアルゴリズムを実行する処理システム８１０と送信機８１５とを備え得る。たとえば、上述されたように、処理システム８１０は、動作チャネル幅（Ｏｐ  ＣＷ）において少なくとも１つのプライマリチャネルのロケーションを決定し、そのＯｐ  ＣＷと独立に動作チャネルのセットを定義し得る。その後で、処理システム８１０は、少なくとも１つのプライマリチャネルのロケーションと、動作チャネルのセットにおける少なくとも１つチャネルのロケーションとを比較し、少なくとも１つのプライマリチャネルのロケーションを識別することを助ける動作チャネルのセットのうちの少なくとも１つのチャネルとの関係で、第１のオフセットを決定し得る。その後で、送信機８１５が、第１のオフセットを第２の装置に示すために、処理システム８１０によって実行され得る。あるいは、処理システム８１０は、少なくとも１つのプライマリチャネルのロケーションと、動作チャネルのセットにおける少なくとも１つチャネルのロケーションとを比較し、動作チャネルのセットのロケーションを識別することを助ける少なくとも１つのプライマリチャネルのロケーションとの関係で、第２のオフセットを決定し得る。その後で、送信機８１５が、第２のオフセットを第２の装置に示すために、処理システム８１０によって実行され得る。別の例では、処理システム８１０は、各ビットが動作チャネルのセットのうちの１つのチャネルを識別するビットマップに従って、動作チャネルのセットを定義し得る。いったんビットマップが定義されると、処理８１０は、少なくとも１つのプライマリチャネルのロケーションを識別することを助けるビットマップの少なくとも１つのチャネルとの関係で、第３のオフセットを決定し得る。その後で、送信機８１５が、第３のオフセットを第２の装置に示すために、処理システム８１０によって実行され得る。
【００９１】
[0099]本明細書で使用する「定義」という用語は、多種多様なアクションを包含する。たとえば、「定義」は、解決、選択、選出、確立などを含み得る。さらに、本明細書で使用する「チャネル幅」は、いくつかの態様では帯域幅を包含し得るか、または帯域幅と呼ばれることもある。
【００９２】
[00100]本明細書で使用する、項目のリスト「のうちの少なくとも１つ」を指す句は、単一のメンバを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃおよびａ−ｂ−ｃをカバーするものとする。
【００９３】
[00101]上述された方法の様々な動作は、様々なハードウェアおよび／またはソフトウェア構成要素、回路、および／またはモジュールなどの、それらの動作を実行することが可能な任意の適切な手段によって実行され得る。一般に、図に示されたどの動作も、その動作を実行することが可能な対応する機能的手段によって実行され得る。
【００９４】
[00102]本開示に関連して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、ディスクリートゲートもしくはトランジスタ論理、ディスクリートハードウェア構成要素、または本明細書に記載された機能を実行するように設計されたそれらの任意の組合せを用いて、実施または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【００９５】
[00103]１つまたは複数の態様では、記載された機能は、ハードウェア、ソフトウェア、ファームウェア、またはそれらの任意の組合せで実装され得る。ソフトウェアで実装された場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備えることができる。加えて、いくつかの態様では、コンピュータ可読媒体は、一時的コンピュータ可読媒体（たとえば、信号）を備えることができる。上記の組合せもコンピュータ可読媒体の範囲内に含まれるべきである。
【００９６】
[00104]本明細書で開示された方法は、記載された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく修正され得る。
【００９７】
[00105]記載された機能は、ハードウェア、ソフトウェア、ファームウェア、またはそれらの任意の組合せで実装され得る。ソフトウェアで実装された場合、機能は、１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。
【００９８】
[00106]したがって、いくつかの態様は、本明細書で提示された動作を実行するためのコンピュータプログラム製品を備えることができる。たとえば、そのようなコンピュータプログラム製品は、本明細書に記載された動作を実行するために、１つまたは複数のプロセッサによって実行可能である命令を記憶した（および／または符号化した）コンピュータ可読媒体を備えることができる。いくつかの態様では、コンピュータプログラム製品はパッケージング材料を含み得る。
【００９９】
[00107]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１００】
[00108]さらに、本明細書に記載された方法および技法を実行するためのモジュールおよび／または他の適切な手段は、適用可能な場合にユーザ端末および／または基地局によってダウンロードおよび／または他の方法で取得され得ることを諒解されたい。たとえば、本明細書に記載された方法を実行するための手段の転送を容易にするために、そのようなデバイスはサーバに結合され得る。代替として、本明細書に記載された様々な方法は、ユーザ端末および／または基地局がストレージ手段をデバイスに結合するかまたは提供すると様々な方法を取得することができるように、ストレージ手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【０１０１】
[00109]特許請求の範囲は、上記に示された厳密な構成および構成要素に限定されないことを理解されたい。上述された方法および装置の構成、動作および詳細において、特許請求の範囲から逸脱することなく、様々な修正、変更および変形が行われ得る。
【０１０２】
[00110]上記は本開示の態様を対象とするが、本開示の他の態様およびさらなる態様は、その基本的範囲から逸脱することなく考案され得るし、その範囲は以下の特許請求の範囲によって決定される。
【図１】
2016541160.tif 000006
【図２】
2016541160.tif 000007
【図３Ａ】
2016541160.tif 000008
【図３Ｂ】
2016541160.tif 000009
【図４】
2016541160.tif 000010
【図５】
2016541160.tif 000011
【図６】
2016541160.tif 000012
【図７】
2016541160.tif 000013
【図８】
2016541160.tif 000014
【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
第２の装置が前記第１の装置と通信することが許可される基本サービスセット動作チャネル幅（Ｏｐ  ＣＷ）において少なくとも１つのプライマリチャネルのロケーションを設定することと、
前記ＢＳＳ  Ｏｐ  ＣＷとは独立に、サブチャネル選択送信プロシージャについて動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を行うように構成された処理システムを備える、第１の装置。
【請求項２】
動作チャネルの前記セットは、前記第１の装置と通信するために前記第２の装置が利用可能なチャネルの数に基づいて定義される、請求項１に記載の第１の装置。
【請求項３】
前記Ｏｐ  ＣＷに関連付けられた少なくとも１つのチャネルは、動作チャネルの前記セットに関連付けられる、請求項１に記載の第１の装置。
【請求項４】
前記Ｏｐ  ＣＷに関連付けられたどのチャネルも、動作チャネルの前記セットに関連付けられない、請求項１に記載の第１の装置。
【請求項５】
前記処理システムが、
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すようにさらに構成された、請求項１に記載の第１の装置。
【請求項６】
前記処理システムが、さらに、
動作チャネルの前記セットのロケーションを識別するために、前記Ｏｐ  ＣＷにおける前記少なくとも１つのプライマリチャネルの前記ロケーションに関連付けられたオフセットを示すように構成された、請求項１に記載の第１の装置。
【請求項７】
前記処理システムが、
チャネルアクティビティビットマップ（ＣＡＢ）を介して、動作チャネルの前記セットのうちの前記少なくとも１つのチャネルの各々のロケーションを示すことであって、前記ＣＡＢは動作チャネルの前記セットのうちの１つのチャネルを各ビットが識別する少なくとも１つのビットを備える、示すこと、
によって、動作チャネルの前記セットを前記第２の装置に示すように構成された、請求項１に記載の第１の装置。
【請求項８】
前記ＣＡＢが１６ビットを備え、各ビットが、動作チャネルの前記セットのうちの１−ＭＨｚチャネルを識別する、請求項７に記載の第１の装置。
【請求項９】
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、請求項７に記載の第１の装置。
【請求項１０】
前記処理システムが、
通信のためにイネーブルされたチャネルの数を指定するビットマップを示すことによって、動作チャネルの前記セットを前記第２の装置に示すように構成された、請求項１に記載の第１の装置。
【請求項１１】
前記処理システムが、さらに、
前記Ｏｐ  ＣＷにおける前記少なくとも１つのプライマリチャネルの前記ロケーションを識別するために、前記ビットマップによって指定された少なくとも１つのチャネルに関連付けられたオフセットを示すように構成された、請求項１０に記載の第１の装置。
【請求項１２】
前記処理システムが、
前記ビットマップによって指定された各チャネルの帯域幅を示すことによって、動作チャネルの前記セットを前記第２の装置に示すように構成された、請求項１０に記載の第１の装置。
【請求項１３】
前記処理システムが、
データ単位を送信するための前記第２の装置についての最大帯域幅を示すことによって、動作チャネルの前記セットを前記第２の装置に示すように構成された、請求項１に記載の第１の装置。
【請求項１４】
第１の装置におけるワイヤレス通信の方法であって、
第２の装置が前記第１の装置と通信することが許可される基本サービスセット動作チャネル幅（Ｏｐ  ＣＷ）において少なくとも１つのプライマリチャネルのロケーションを設定することと、
前記Ｏｐ  ＣＷとは独立に、サブチャネル選択送信プロシージャについて動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を備える、方法。
【請求項１５】
動作チャネルの前記セットは、前記第１の装置と通信するために前記第２の装置が利用可能なチャネルの数に基づいて定義される、請求項１４に記載の方法。
【請求項１６】
前記Ｏｐ  ＣＷに関連付けられた少なくとも１つのチャネルが、動作チャネルの前記セットに関連付けられた、請求項１４に記載の方法。
【請求項１７】
前記Ｏｐ  ＣＷに関連付けられたどのチャネルも、動作チャネルの前記セットに関連付けられない、請求項１４に記載の方法。
【請求項１８】
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すことをさらに備える、請求項１４に記載の方法。
【請求項１９】
動作チャネルの前記セットのロケーションを識別するために、前記Ｏｐ  ＣＷにおける前記少なくとも１つのプライマリチャネルの前記ロケーションに関連付けられたオフセットを示すことをさらに備える、請求項１４に記載の方法。
【請求項２０】
動作チャネルの前記セットを前記第２の装置に前記示すことが、
チャネルアクティビティビットマップ（ＣＡＢ）を介して、動作チャネルの前記セットのうちの前記少なくとも１つのチャネルの各々のロケーションを示すことであって、前記ＣＡＢが、動作チャネルの前記セットのうちの１つのチャネルを各ビットが識別する少なくとも１つのビットを備える、示すこと、
を備える、請求項１４に記載の方法。
【請求項２１】
前記ＣＡＢが１６ビットを備え、各ビットが、動作チャネルの前記セットのうちの１−ＭＨｚチャネルを識別する、請求項２０に記載の方法。
【請求項２２】
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、請求項２０に記載の方法。
【請求項２３】
動作チャネルの前記セットを前記第２の装置に前記示すことが、
通信のためにイネーブルされたチャネルの数を指定するビットマップを示すことを備える、請求項１４に記載の方法。
【請求項２４】
前記Ｏｐ  ＣＷにおける前記少なくとも１つのプライマリチャネルの前記ロケーションを識別するために、前記ビットマップによって指定された少なくとも１つのチャネルに関連付けられたオフセットを示すことをさらに備える、請求項２３に記載の方法。
【請求項２５】
動作チャネルの前記セットを前記第２の装置に前記示すことが、
前記ビットマップによって指定された各チャネルの帯域幅を示すことを備える、請求項２３に記載の方法。
【請求項２６】
動作チャネルの前記セットを前記第２の装置に前記示すことが、
データ単位を送信するための前記第２の装置についての最大帯域幅を示すことを備える、請求項１４に記載の方法。
【請求項２７】
ワイヤレス通信のための第１の装置であって、
第２の装置が前記第１の装置と通信することが許可される基本サービスセット動作チャネル幅（Ｏｐ  ＣＷ）において少なくとも１つのプライマリチャネルのロケーションを設定するための手段と、
前記Ｏｐ  ＣＷとは独立に、サブチャネル選択送信プロシージャについて動作チャネルのセットを定義するための手段と、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すための手段と
を備える、第１の装置。
【請求項２８】
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すための手段をさらに備える、請求項２７に記載の第１の装置。
【請求項２９】
動作チャネルの前記セットのロケーションを識別するために、前記Ｏｐ  ＣＷにおける前記少なくとも１つのプライマリチャネルの前記ロケーションに関連付けられたオフセットを示すための手段をさらに備える、請求項２７に記載の第１の装置。
【請求項３０】
ワイヤレス通信のためのアクセスポイントであって、
少なくとも１つのアンテナと、
処理システムであって、
装置が前記アクセスポイントと通信することが許可される基本サービスセット動作チャネル幅（Ｏｐ  ＣＷ）において少なくとも１つのプライマリチャネルのロケーションを設定することと、
前記Ｏｐ  ＣＷとは独立に、サブチャネル選択送信プロシージャについて動作チャネルのセットを定義することと、ここで、動作チャネルの前記セットは、前記アクセスポイントと通信するために前記装置がそれを介して前記少なくとも１つのプライマリチャネルの前記ロケーションを変更することが許可される少なくとも１つのチャネルを備える、
動作チャネルの前記セットを前記少なくとも１つのアンテナを介して前記装置に示すことと
を行うように構成された処理システムと
を備える、アクセスポイント。
【手続補正２】
【補正対象書類名】明細書
【補正対象項目名】０１０２
【補正方法】変更
【補正の内容】
【０１０２】
[00110]上記は本開示の態様を対象とするが、本開示の他の態様およびさらなる態様は、その基本的範囲から逸脱することなく考案され得るし、その範囲は以下の特許請求の範囲によって決定される。
以下に、出願当初の特許請求の範囲に記載された発明を付記する。
［Ｃ１］
ワイヤレス通信のための第１の装置であって、
第２の装置が前記第１の装置と通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を行うように構成された処理システムを備える、第１の装置。
［Ｃ２］
動作チャネルの前記セットは、前記第１の装置と通信するために前記第２の装置が利用可能なチャネルの数に基づいて定義される、上記Ｃ１に記載の第１の装置。
［Ｃ３］
前記Ｏｐ  ＣＷに関連付けられた少なくとも１つのチャネルは、動作チャネルの前記セットに関連付けられる、上記Ｃ１に記載の第１の装置。
［Ｃ４］
前記Ｏｐ  ＣＷに関連付けられたどのチャネルも、動作チャネルの前記セットに関連付けられない、上記Ｃ１に記載の第１の装置。
［Ｃ５］
前記処理システムが、
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すようにさらに構成された、上記Ｃ１に記載の第１の装置。
［Ｃ６］
前記処理システムが、さらに、
動作チャネルの前記セットのロケーションを識別するために、前記Ｏｐ  ＣＷにおける前記少なくとも１つのプライマリチャネルの前記ロケーションに関連付けられたオフセットを示すように構成された、上記Ｃ１に記載の第１の装置。
［Ｃ７］
前記処理システムが、
チャネルアクティビティビットマップ（ＣＡＢ）を介して、動作チャネルの前記セットのうちの前記少なくとも１つのチャネルの各々のロケーションを示すことであって、前記ＣＡＢは動作チャネルの前記セットのうちの１つのチャネルを各ビットが識別する少なくとも１つのビットを備える、示すこと、
によって、動作チャネルの前記セットを前記第２の装置に示すように構成された、上記Ｃ１に記載の第１の装置。
［Ｃ８］
前記ＣＡＢが１６ビットを備え、各ビットが、動作チャネルの前記セットのうちの１−ＭＨｚチャネルを識別する、上記Ｃ７に記載の第１の装置。
［Ｃ９］
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、上記Ｃ７に記載の第１の装置。
［Ｃ１０］
前記処理システムが、
通信のためにイネーブルされたチャネルの数を指定するビットマップを示すことによって、動作チャネルの前記セットを前記第２の装置に示すように構成された、上記Ｃ１に記載の第１の装置。
［Ｃ１１］
前記処理システムが、さらに、
前記Ｏｐ  ＣＷにおける前記少なくとも１つのプライマリチャネルの前記ロケーションを識別するために、前記ビットマップによって指定された少なくとも１つのチャネルに関連付けられたオフセットを示すように構成された、上記Ｃ１０に記載の第１の装置。
［Ｃ１２］
前記処理システムが、
前記ビットマップによって指定された各チャネルの帯域幅を示すことによって、動作チャネルの前記セットを前記第２の装置に示すように構成された、上記Ｃ１０に記載の第１の装置。
［Ｃ１３］
前記処理システムが、
データ単位を送信するための前記第２の装置についての最大帯域幅を示すことによって、動作チャネルの前記セットを前記第２の装置に示すように構成された、上記Ｃ１に記載の第１の装置。
［Ｃ１４］
第１の装置におけるワイヤレス通信の方法であって、
第２の装置が前記第１の装置と通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すことと
を備える、方法。
［Ｃ１５］
動作チャネルの前記セットは、前記第１の装置と通信するために前記第２の装置が利用可能なチャネルの数に基づいて定義される、上記Ｃ１４に記載の方法。
［Ｃ１６］
前記Ｏｐ  ＣＷに関連付けられた少なくとも１つのチャネルが、動作チャネルの前記セットに関連付けられた、上記Ｃ１４に記載の方法。
［Ｃ１７］
前記Ｏｐ  ＣＷに関連付けられたどのチャネルも、動作チャネルの前記セットに関連付けられない、上記Ｃ１４に記載の方法。
［Ｃ１８］
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すことをさらに備える、上記Ｃ１４に記載の方法。
［Ｃ１９］
動作チャネルの前記セットのロケーションを識別するために、前記Ｏｐ  ＣＷにおける前記少なくとも１つのプライマリチャネルの前記ロケーションに関連付けられたオフセットを示すことをさらに備える、上記Ｃ１４に記載の方法。
［Ｃ２０］
動作チャネルの前記セットを前記第２の装置に前記示すことが、
チャネルアクティビティビットマップ（ＣＡＢ）を介して、動作チャネルの前記セットのうちの前記少なくとも１つのチャネルの各々のロケーションを示すことであって、前記ＣＡＢが、動作チャネルの前記セットのうちの１つのチャネルを各ビットが識別する少なくとも１つのビットを備える、示すこと、
を備える、上記Ｃ１４に記載の方法。
［Ｃ２１］
前記ＣＡＢが１６ビットを備え、各ビットが、動作チャネルの前記セットのうちの１−ＭＨｚチャネルを識別する、上記Ｃ２０に記載の方法。
［Ｃ２２］
前記ＣＡＢが８ビットを備え、各ビットが、動作チャネルの前記セットのうちのＸ−ＭＨｚチャネルを識別し、ここで、Ｘは前記Ｏｐ  ＣＷにおける前記少なくとも１つのプライマリチャネルの幅である、上記Ｃ２０に記載の方法。
［Ｃ２３］
動作チャネルの前記セットを前記第２の装置に前記示すことが、
通信のためにイネーブルされたチャネルの数を指定するビットマップを示すことを備える、上記Ｃ１４に記載の方法。
［Ｃ２４］
前記Ｏｐ  ＣＷにおける前記少なくとも１つのプライマリチャネルの前記ロケーションを識別するために、前記ビットマップによって指定された少なくとも１つのチャネルに関連付けられたオフセットを示すことをさらに備える、上記Ｃ２３に記載の方法。
［Ｃ２５］
動作チャネルの前記セットを前記第２の装置に前記示すことが、
前記ビットマップによって指定された各チャネルの帯域幅を示すことを備える、上記Ｃ２３に記載の方法。
［Ｃ２６］
動作チャネルの前記セットを前記第２の装置に前記示すことが、
データ単位を送信するための前記第２の装置についての最大帯域幅を示すことを備える、上記Ｃ１４に記載の方法。
［Ｃ２７］
ワイヤレス通信のための第１の装置であって、
第２の装置が前記第１の装置と通信することが許可される動作チャネル幅（Ｏｐ  ＣＷ）において少なくとも１つのプライマリチャネルのロケーションを設定するための手段と、
前記Ｏｐ  ＣＷとは独立に動作チャネルのセットを定義するための手段と、ここで、動作チャネルの前記セットは、前記第１の装置と通信するために前記第２の装置がそれを介して前記少なくとも１つのプライマリチャネルの前記ロケーションを変更することが許可される少なくとも１つのチャネルを備える、
動作チャネルの前記セットを前記第２の装置に示すための手段と
を備える、第１の装置。
［Ｃ２８］
前記Ｏｐ  ＣＷにおける前記少なくとも１つのプライマリチャネルの前記ロケーションを識別するために、動作チャネルの前記セットのうちの少なくとも１つのチャネルに関連付けられたオフセットを示すための手段をさらに備える、上記Ｃ２７に記載の第１の装置。
［Ｃ２９］
動作チャネルの前記セットのロケーションを識別するために、前記Ｏｐ  ＣＷにおける前記少なくとも１つのプライマリチャネルの前記ロケーションに関連付けられたオフセットを示すための手段をさらに備える、上記Ｃ２７に記載の第１の装置。
［Ｃ３０］
ワイヤレス通信のためのアクセスポイントであって、
少なくとも１つのアンテナと、
処理システムであって、
装置が前記アクセスポイントと通信することが許可される動作チャネル幅（Ｏｐ  ＣＷ）において少なくとも１つのプライマリチャネルのロケーションを設定することと、
前記Ｏｐ  ＣＷとは独立に動作チャネルのセットを定義することと、ここで、動作チャネルの前記セットは、前記アクセスポイントと通信するために前記装置がそれを介して前記少なくとも１つのプライマリチャネルの前記ロケーションを変更することが許可される少なくとも１つのチャネルを備える、
動作チャネルの前記セットを前記少なくとも１つのアンテナを介して前記装置に示すことと
を行うように構成された処理システムと
を備える、アクセスポイント。
【国際調査報告】
2016541160.tif 000015
2016541160.tif 000016
2016541160.tif 000017